(57)【要約】      （修正有）【課題】心臓の内部組織および外部組織を含む組織にアクセスするための装置、システム、および方法を提供する。【解決手段】近位端、遠位端、近位端と遠位端との間に延在する第１および第２管腔、ならびに遠位端に動作可能に接続されるスカート１８３０を含む係合カテーテル１８１０と、近位端、遠位端、および近位端と遠位端との間に延在する中空チューブを含む送達カテーテル１８４０と、送達カテーテルの遠位端に位置する針と、係合カテーテルの近位端に位置する真空ポートと、を含み、係合カテーテルの第１管腔は、係合カテーテルの遠位端またはその近傍に位置する吸引ポートを含み、吸引ポートは、スカートの近位端を組織１８５０の表面に着脱可能に係合させるように構成され、真空源が真空ポートに動作可能に取り付けられた際、スカートが組織の表面との可逆的密閉を形成できる構成とする。【選択図】図１７Ｂ
2014087695.tif 000002
【特許請求の範囲】
【請求項１】
組織に係合するために真空源と併用するシステムであって、
近位端、遠位端、前記近位端と前記遠位端との間に延在する第１および第２管腔、なら
びに前記遠位端に動作可能に接続されるスカートを含む係合カテーテルであって、前記ス
カートは、前記係合カテーテルの外周と実質的に同様の周囲を有する近位端を含み、前記
スカートは、前記係合カテーテルの前記外周よりも大きな周囲を有する遠位端をさらに含
む係合カテーテルと、
近位端、遠位端、および前記近位端と前記遠位端との間に延在する中空チューブを含む
送達カテーテルであって、前記中空チューブを前記係合カテーテルの前記第２管腔に挿入
できるように構成される送達カテーテルと、
前記送達カテーテルの前記遠位端に位置する針と、
前記係合カテーテルの前記近位端に位置する真空ポートであって、前記係合カテーテル
の前記第１管腔に動作可能に接続され、前記真空源との動作接続が可能である真空ポート
と、を含み、
前記係合カテーテルの前記第１管腔は、前記係合カテーテルの前記遠位端またはその近
傍に位置する吸引ポートを含み、前記吸引ポートは、前記スカートの前記近位端を組織の
表面に着脱可能に係合させるように構成され、真空源が前記真空ポートに動作可能に取り
付けられた際、前記スカートが前記組織の前記表面との可逆的密閉を形成できるようにす
る、システム。
【請求項２】
前記システムは、心臓を囲む心膜嚢から前記標的組織を引き離すことによって、前記標
的組織と前記心膜嚢との間の心膜腔を拡張できる、請求項１に記載のシステム。
【請求項３】
前記システムにより係合される前記組織は、心臓である、請求項１に記載のシステム。
【請求項４】
前記システムは、前記スカートが前記心臓の内壁に取り付けられた際、前記心臓と心膜
嚢との間の心膜腔を拡張することができる、請求項３に記載のシステム。
【請求項５】
前記スカートは、変形可能な構成を含む、請求項１に記載のシステム。
【請求項６】
前記スカートの前記変形可能な構成は、拡張構成に拡張することができる、請求項５に
記載のシステム。
【請求項７】
前記拡張構成は、フラスト円錐形構成である、請求項６に記載のシステム。
【請求項８】
前記拡張構成は、不定形のフラスト円錐形構成である、請求項６に記載のシステム。
【請求項９】
近位端、遠位端、ならびに前記近位端と前記遠位端との間に延在する管腔を含むスリー
ブをさらに含み、前記スリーブは、前記係合カテーテルの周囲の周方向に位置付けられ、
前記スリーブは、前記係合カテーテルに摺動係合する、請求項５に記載のシステム。
【請求項１０】
前記スリーブは、前記係合カテーテルの前記遠位端に位置付けることができ、前記スリ
ーブは、少なくとも部分的に前記スカートを囲む、請求項９に記載のシステム。
【請求項１１】
前記スカートの前記変形可能な構成は、前記スリーブにより少なくとも部分的に囲まれ
た際に仕舞われる、請求項１０に記載のシステム。
【請求項１２】
前記スリーブは、前記スカートを囲まないように前記係合カテーテルに沿って位置付け
られ、前記スカートは、拡張構成に拡張することができる、請求項９に記載のシステム。
【請求項１３】
前記拡張構成は、フラスト円錐形構成である、請求項１２に記載のシステム。
【請求項１４】
前記拡張構成は、不定形のフラスト円錐形構成である、請求項１２に記載のシステム。
【請求項１５】
前記標的組織は、心房壁の一部分を含む、請求項１に記載のシステム。
【請求項１６】
前記標的組織は、心耳の一部分を含む、請求項１に記載のシステム。
【請求項１７】
前記針は、前記中空チューブが前記第２管腔に挿入され、前記吸引ポートが前記標的組
織に取り付けられた際、前記標的組織を穿刺できるように位置付けられ、前記標的組織が
穿刺された際、前記心膜腔へのアクセスが達成されるようにする、請求項１に記載のシス
テム。
【請求項１８】
前記心膜腔に挿入するためのガイドワイヤをさらに含む、請求項２に記載のシステム。
【請求項１９】
前記針は、前記中空チューブと連通する中空針を含み、前記ガイドワイヤは、前記中空
チューブおよび前記中空針を通って前記心膜腔に挿入できる、請求項１８に記載のシステ
ム。
【請求項２０】
前記係合カテーテルは、前記係合カテーテルの前記第２管腔と流体連通する注入チャネ
ルをさらに含み、前記注入チャネルは、流体を前記標的組織に投与するように構成される
、請求項１に記載のシステム。
【請求項２１】
前記流体は接着剤を含む、請求項２０に記載のシステム。
【請求項２２】
前記注入チャネルはリング型である、請求項２０に記載のシステム。
【請求項２３】
前記係合カテーテルは、前記係合カテーテルの長さに沿って形成された注入チャネルを
さらに含み、前記注入チャネルは、その遠位端において、流体を前記標的組織に投与する
ための少なくとも１つの開口を有し、前記注入チャネルは、前記注入チャネルの前記近位
端において、外部流体源に動作可能に取り付けることができ、前記外部流体源が前記注入
チャネルに動作可能に取り付けられた際、前記外部流体源からの流体が前記注入チャネル
を通じて前記標的組織に流れ得るようにする、請求項１に記載のシステム。
【請求項２４】
前記針は、前記標的組織を穿刺するための針ワイヤを含む、請求項１に記載のシステム
。
【請求項２５】
前記針は、圧力先端針を含む、請求項１に記載のシステム。
【請求項２６】
前記係合カテーテルは、前記係合カテーテルの長さに沿って湾曲を含む、請求項１に記
載のシステム。
【請求項２７】
前記係合カテーテルの前記湾曲は、約４５度の角度を形成する、請求項２６に記載のシ
ステム。
【請求項２８】
前記係合カテーテルの前記湾曲は、約９０度の角度を形成し、前記係合カテーテルの一
部分が前記係合カテーテルの別の部分とほぼ垂直になるようにする、請求項２６に記載の
システム。
【請求項２９】
前記係合カテーテルの前記湾曲は、前記係合カテーテルの一部分が前記係合カテーテル
の別の部分とほぼ平行になるような角度を形成する、請求項２６に記載のシステム。
【請求項３０】
組織に係合するために真空源と併用する係合カテーテルであって、
細長いチューブであって、近位端、遠位端、前記チューブの長さに沿って周方向に位置
付けられる外壁、および前記チューブの長さに沿って周方向に位置付けられる内壁を含み
、前記外壁および前記内壁は、前記外壁と前記内壁との間で前記チューブの長さに沿って
少なくとも１つの吸引チャネルを形成する細長いチューブと、
前記チューブの前記遠位端に動作可能に接続されるスカートであって、前記チューブの
外周と実質的に同様の周囲を有する近位端を含み、前記チューブの前記周囲よりも大きい
周囲を有する遠位端をさらに含むスカートと、
前記チューブの前記近位端と連通する真空ポートであって、前記少なくとも１つの吸引
チャネルに動作可能に接続され、前記真空源との動作接続が可能である真空ポートと、
前記チューブの遠位端において、前記少なくとも１つの吸引チャネルと連通する吸引ポ
ートであって、前記吸引ポートは、前記スカートの前記近位端を組織の表面に着脱可能に
係合させるように構成され、真空源が前記真空ポートに動作可能に取り付けられた際、前
記スカートが前記組織の前記表面との可逆的密閉を形成できるようにする吸引ポートとを
含む、係合カテーテル。
【請求項３１】
前記スカートは、変形可能な構成を含む、請求項３０に記載の係合カテーテル。
【請求項３２】
前記スカートの前記変形可能な構成は、拡張構成に拡張できる、請求項３１に記載の係
合カテーテル。
【請求項３３】
前記拡張構成は、フラスト円錐形構成である、請求項３２に記載の係合カテーテル。
【請求項３４】
前記拡張構成は、不定形のフラスト円錐形構成である、請求項３２に記載の係合カテー
テル。
【請求項３５】
前記スカートは、前記スカートがスリーブにより少なくとも部分的に囲まれた際、仕舞
構成を有し、前記スカートは、前記スカートが前記スリーブにより囲まれない時には拡張
構成を有する、請求項３１に記載の係合カテーテル。
【請求項３６】
前記係合カテーテルの前記スカートにより係合される前記組織は、心臓である、請求項
３０に記載の係合カテーテル。
【請求項３７】
前記スカートは、前記スカートが前記心臓の内壁に取り付けられた際、前記心臓と心膜
嚢との間の心膜腔を拡張できる、請求項３６に記載の係合カテーテル。
【請求項３８】
前記少なくとも１つの吸引チャネル内に位置付けられ、前記外壁および前記内壁に取り
付けられる少なくとも１つの内部管腔支持をさらに含み、前記少なくとも１つの内部管腔
支持は、前記チューブの前記長さの少なくとも大部分に沿って、前記チューブの前記遠位
端から延在する、請求項３０に記載の係合カテーテル。
【請求項３９】
前記少なくとも１つの内部管腔支持は、２つの内部管腔支持を含み、前記少なくとも１
つの吸引チャネルは、２つの吸引チャネルを含む、請求項３８に記載の係合カテーテル。
【請求項４０】
前記チューブの前記長さに沿って形成された注入チャネルをさらに含み、前記注入チャ
ネルは、その遠位端において、流体を前記標的組織に投与するための少なくとも１つの開
口を有し、前記注入チャネルの前記近位端において外部流体源に動作可能に取り付けるこ
とができ、前記外部流体源が前記注入チャネルに動作可能に取り付けられた際、前記外部
流体源からの流体が前記注入チャネルを通じて前記標的組織に流れ得るようにする、請求
項３０に記載の係合カテーテル。
【請求項４１】
組織に係合する方法であって、該方法は、
システムを提供するステップであって、
近位端、遠位端、前記近位端と前記遠位端との間に延在する第１および第２管腔、なら
びに前記遠位端に動作可能に接続されるスカートを含む係合カテーテルであって、前記ス
カートは、前記係合カテーテルの外周と実質的に同様の周囲を有する近位端を含み、前記
スカートは、前記係合カテーテルの前記外周よりも大きな周囲を有する遠位端をさらに含
む係合カテーテルと、
近位端、遠位端、および前記近位端と前記遠位端との間に延在する中空チューブを含む
送達カテーテルであって、前記中空チューブを前記係合カテーテルの前記第２管腔に挿入
できるように構成される送達カテーテルと、
前記送達カテーテルの前記遠位端に位置する針と、
前記係合カテーテルの前記近位端に位置する真空ポートであって、前記係合カテーテル
の前記第１管腔に動作可能に接続され、前記真空源との動作接続が可能である真空ポート
と、を含み、
前記係合カテーテルの前記第１管腔は、前記係合カテーテルの前記遠位端またはその近
傍に位置する吸引ポートを含み、前記吸引ポートは、前記スカートの前記近位端を標的組
織の表面に着脱可能に係合させるように構成され、真空源が前記真空ポートに動作可能に
取り付けられた際、前記スカートが前記標的組織の前記表面との可逆的密閉を形成できる
ようにする、ステップと、
前記係合カテーテルの前記遠位端が前記標的組織またはその近傍に位置付けられるよう
に、前記係合カテーテルを体内に挿入するステップと、を含む、方法。
【請求項４２】
前記システムは、心臓を囲む心膜嚢から前記標的組織を引き離すことによって、前記標
的組織と前記心膜嚢との間の心膜腔を拡張できる、請求項４１に記載の方法。
【請求項４３】
前記係合カテーテルを体内に挿入する前記ステップは、前記係合カテーテルの前記遠位
端が前記心臓内に位置付けられ、前記スカートが前記心臓の壁の内部上で前記標的組織と
接触するような、前記係合カテーテルの挿入を含む、請求項４２に記載の方法。
【請求項４４】
前記スカートが前記心臓の壁の内部上で前記標的組織に可逆的に取り付けられるように
、前記真空ポートに真空源を動作可能に接続するステプをさらに含む、請求項４３に記載
の方法。
【請求項４５】
前記送達カテーテルを前記係合カテーテルの前記第２管腔に挿入するステップをさらに
含む、請求項４４に記載の方法。
【請求項４６】
前記針で前記心臓の壁の内部上の前記標的組織を穿刺するステップをさらに含む、請求
項４５に記載の方法。
【請求項４７】
前記心膜腔に物質を投与するステップをさらに含む、請求項４６に記載の方法。
【請求項４８】
前記標的組織から前記針を引き抜き、前記針を引き抜いた後、前記標的組織に物質を投
与するステップをさらに含む、請求項４６に記載の方法。
【請求項４９】
前記物質は、前記標的組織内の刺創を密封するための接着剤を含む、請求項４８に記載
の方法。
【請求項５０】
前記標的組織は、心房壁の一部分を含む、請求項４１に記載の方法。
【請求項５１】
前記標的組織は、心耳の一部分を含む、請求項４１に記載の方法。
【請求項５２】
前記心臓の前記壁を通って前記心膜腔にガイドワイヤを挿入することによって、前記心
膜腔にアクセスするステップをさらに含む、請求項４６に記載の方法。
【請求項５３】
組織から流体を除去するために真空源と併用するカテーテルであって、
細長いチューブであって、近位端、遠位端、前記チューブの長さに沿って周方向に位置
付けられる外壁、ならびに前記チューブ内の管腔を画定する前記チューブの前記長さに沿
って周方向に位置付けられる内壁を含み、前記内壁は、前記チューブの前記長さに沿って
少なくとも１つの吸引チャネルを形成する細長いチューブと、
前記チューブに沿って画定される１つ以上のアパーチャであって、前記１つ以上のアパ
ーチャは、前記チューブの前記外壁から前記チューブの前記内壁へと延在し、前記１つ以
上のアパーチャは、前記チューブの前記遠位端またはその近傍に存在し、前記１つ以上の
アパーチャのうちの少なくとも１つは、前記少なくとも１つの吸引チャネルと連通するア
パーチャと、
前記チューブの前記近位端と連通する真空ポートであって、前記少なくとも１つの吸引
チャネルに動作可能に接続され、前記真空源に動作可能に接続される真空ポートと、を含
み、
前記吸引チャネルは、体内の間隙内に存在する流体を、前記少なくとも１つの吸引チャ
ネルと連通する前記１つ以上のアパーチャに進入させ、前記真空源が前記真空ポートに動
作可能に取り付けられた際、少なくとも１つの吸引チャネルを介して除去させるように構
成される、カテーテル。
【請求項５４】
少なくとも１つの凹溝が、前記チューブの前記長さの少なくとも一部に沿って延在する
前記外壁上で画定される、請求項５３に記載のカテーテル。
【請求項５５】
前記チューブに沿って画定される前記１つ以上のアパーチャは、前記少なくとも１つの
凹溝に沿って画定される、請求項５４に記載のカテーテル。
【請求項５６】
前記少なくとも１つの凹溝は、前記チューブの前記長さの少なくとも一部に沿って延在
する１つ以上の隆起を画定し、前記隆起は、組織と前記１つ以上のアパーチャとの間に隙
間を許容するように構成および配列される、請求項５５に記載のカテーテル。
【請求項５７】
前記少なくとも１つの凹溝は、少なくとも３つの凹溝を含む、請求項５６に記載のカテ
ーテル。
【請求項５８】
前記１つ以上のアパーチャは、少なくとも３つのアパーチャを含む、請求項５３に記載
のカテーテル。
【請求項５９】
前記カテーテルは、前記カテーテルの長さに沿って湾曲を含む、請求項５３に記載のカ
テーテル。 
【請求項６０】
前記チューブ内に画定され、前記チューブの前記長さに沿って位置付けられる少なくと
も１つの送達チャネルをさらに含み、前記１つ以上のアパーチャのうちの少なくとも１つ
は、少なくとも１つの送達チャネルと連通する、請求項５３に記載のカテーテル。
【請求項６１】
前記少なくとも１つの送達カテーテルは、標的部位への送達のために、前記少なくとも
１つの送達チャネルと連通する前記１つ以上のアパーチャのうちの少なくとも１つを通じ
て、前記送達チャネルの近位端に存在する送達源から物質を送達するように動作可能であ
る、請求項６０に記載のカテーテル。
【請求項６２】
前記物質は、気体、液体、および微粒子から成る群からの少なくとも１つの物質を含む
、請求項６１に記載のカテーテル。
【請求項６３】
前記物質は、抗生物質、細胞分裂阻害剤、硬化剤、細胞傷害性薬物、免疫調節剤、およ
びクリスタロイドグルココルチコイドから成る群からの少なくとも１つの物質を含む、請
求項６１に記載のカテーテル。
【請求項６４】
前記真空ポートは、さらに送達源との動作接続が可能であり、前記吸引チャネルは、物
質を含有する送達源が前記真空ポートに動作可能に取り付けられた際、前記物質を送達す
るように構成され、前記物質は、前記吸引チャネルを通じ、かつ前記少なくとも１つの吸
引チャネルと連通する前記１つ以上のアパーチャのうちの少なくとも１つを通じて、前記
送達源から標的部位へ送達される、請求項５３に記載のカテーテル。
【請求項６５】
前記真空源は、シリンジを含む、請求項５３に記載のカテーテル。
【請求項６６】
組織から流体を除去するために真空源と併用するシステムであって、
近位端、遠位端、ならびに前記近位端と前記遠位端との間に延在する管腔を含む係合カ
テーテルと、
吸引カテーテルであって、
細長いチューブであって、近位端、遠位端、前記チューブの長さに沿って周方向に位置
付けられる外壁、ならびに前記チューブ内の管腔を画定する前記チューブの前記長さに沿
って周方向に位置付けられる内壁を含み、前記内壁は、前記チューブの前記長さに沿って
少なくとも１つの吸引チャネルを形成する細長いチューブと、
前記チューブに沿って画定される１つ以上のアパーチャであって、前記１つ以上のアパ
ーチャは、前記チューブの前記外壁から前記チューブの前記内壁へと延在し、前記１つ以
上のアパーチャは、前記チューブの前記遠位端またはその近傍に存在し、前記１つ以上の
アパーチャのうちの少なくとも１つは、前記少なくとも１つの吸引チャネルと連通するア
パーチャと、
前記チューブの前記近位端と連通する真空ポートであって、前記少なくとも１つの吸引
チャネルに動作可能に接続され、前記真空源に動作可能に接続される真空ポートと、を含
み、
前記吸引チャネルは、体内の間隙内に存在する流体を、前記少なくとも１つの吸引チャ
ネルと連通する前記１つ以上のアパーチャに進入させ、前記真空源が前記真空ポートに動
作可能に取り付けられた際、少なくとも１つの吸引チャネルを介して除去させるように構
成される、吸引カテーテルと、を含み、
前記吸引カテーテルは、前記係合カテーテルの前記管腔に挿入できるように構成される
、システム。
【請求項６７】
前記吸引カテーテルは、前記係合カテーテルの前記管腔を通る挿入を介して組織の間隙
に進入するように動作可能である、請求項６６に記載のシステム。
【請求項６８】
前記吸引カテーテルは、前記係合カテーテルの前記管腔を通る挿入を介して心臓の右心
耳に進入するように動作可能である、請求項６７に記載のシステム。
【請求項６９】
前記吸引カテーテルは、心臓の臓側心膜に進入して心膜嚢にアクセスするようにさらに
動作可能である、請求項６８に記載のシステム。
【請求項７０】
少なくとも１つの凹溝が、前記チューブの前記長さの少なくとも一部に沿って延在する
前記吸引カテーテルの前記外壁上に画定される、請求項６６に記載のシステム。
【請求項７１】
前記チューブに沿って画定される前記１つ以上のアパーチャは、前記少なくとも１つの
凹溝に沿って画定される、請求項７０に記載のシステム。
【請求項７２】
前記少なくとも１つの凹溝は、前記チューブの前記長さの少なくとも一部に沿って延在
する１つ以上の隆起を画定し、前記隆起は、組織と前記１つ以上のアパーチャとの間の隙
間を許容するように構成および配列される、請求項７０に記載のシステム。
【請求項７３】
前記吸引カテーテルは、前記吸引カテーテルの長さに沿って湾曲を含む、請求項６６に
記載のシステム。   
【請求項７４】
前記吸引カテーテルは、前記チューブ内に画定され、前記チューブの前記長さに沿って
位置付けられる少なくとも１つの送達チャネルをさらに含み、前記１つ以上のアパーチャ
のうちの少なくとも１つは、前記少なくとも１つの送達チャネルと連通する、請求項６６
に記載のシステム。
【請求項７５】
前記少なくとも１つの送達カテーテルは、標的部位への送達のために、前記少なくとも
１つの送達チャネルと連通する前記１つ以上のアパーチャのうちの少なくとも１つを通じ
て、前記送達チャネルの近位端に存在する送達源から物質を送達するように動作可能であ
る、請求項７４に記載のシステム。
【請求項７６】
前記物質は、気体、液体、および微粒子から成る群からの少なくとも１つの物質を含む
、請求項７５に記載のシステム。
【請求項７７】
前記物質は、抗生物質、細胞分裂阻害剤、硬化剤、細胞傷害性薬物、免疫調節剤、およ
びクリスタロイドグルココルチコイドから成る群からの少なくとも１つの物質を含む、請
求項７５に記載のシステム。
【請求項７８】
前記真空ポートは、さらに送達源との動作接続が可能であり、前記吸引チャネルは、物
質を含有する送達源が前記真空ポートに動作可能に取り付けられた際、前記物質を送達す
るように構成され、前記物質は、前記吸引チャネルを通じ、かつ前記少なくとも１つの吸
引チャネルと連通する前記１つ以上のアパーチャのうちの少なくとも１つを通じて、前記
送達源から標的部位へ送達される、請求項６６に記載のシステム。
【請求項７９】
前記真空源は、シリンジを含む、請求項６６に記載のシステム。
【請求項８０】
吸引カテーテルを使用して組織から流体を除去するための方法であって、
システムを提供するステップであって、
近位端、遠位端、ならびに前記近位端と前記遠位端との間に延在する第１管腔を含む係
合カテーテルと、
吸引カテーテルであって、
細長いチューブであって、近位端、遠位端、前記チューブの長さに沿って周方向に位置
付けられる外壁、ならびに前記チューブ内の管腔を画定する前記チューブの前記長さに沿
って周方向に位置付けられる内壁を含み、前記内壁は、前記チューブの前記長さに沿って
第１チャネルを形成する細長いチューブと、
前記チューブに沿って画定される１つ以上のアパーチャであって、前記１つ以上のアパ
ーチャは、前記チューブの前記外壁から前記チューブの前記内壁へと延在し、前記１つ以
上のアパーチャは、前記チューブの前記遠位端またはその近傍に存在し、前記１つ以上の
アパーチャのうちの少なくとも１つは、前記第１チャネルと連通するアパーチャと、
前記チューブの前記近位端と連通する第１ポートであって、前記第１チャネルに動作可
能に接続され、前記第１真空源との動作接続が可能である第１ポートと、を含み、
前記チャネルは、体内の間隙内に存在する流体を前記第１チャネルと連通する前記１つ
以上のアパーチャに進入させ、前記第１真空源が前記第１ポートに動作可能に取り付けら
れた際、前記第１チャネルを介して除去させるように構成される吸引カテーテルと、を含
み、
前記吸引カテーテルは、前記係合カテーテルの前記第１管腔に挿入できるように構成さ
れる、ステップと、
前記係合カテーテルの前記遠位端が組織内の間隙を囲む組織壁またはその近傍に位置付
けられるように、前記係合カテーテルを体内に挿入するステップと、
前記係合カテーテルの前記第１管腔に前記吸引カテーテルを挿入するステップであって
、前記吸引カテーテルは、前記吸引カテーテルの前記遠位端が前記組織壁によって囲まれ
る前記間隙内に存在し、前記間隙内に存在する流体と接触するように、前記組織壁を通じ
て前記係合カテーテルの前記遠位端を出るステップと、を含む、方法。
【請求項８１】
前記間隙内に存在する前記流体の少なくとも一部分が、前記第１チャネルと連通する前
記１つ以上のアパーチャに進入し、前記第１チャネルを介して除去されるように、第１真
空源を前記第１ポートに動作可能に接続するステップをさらに含む、請求項８０に記載の
方法。
【請求項８２】
少なくとも１つの凹溝が、前記チューブの前記長さの少なくとも一部に沿って延在する
前記外壁上で画定される、請求項８１に記載の方法。
【請求項８３】
前記チューブに沿って画定される前記１つ以上のアパーチャは、前記少なくとも１つの
凹溝に沿って画定される、請求項８２に記載の方法。
【請求項８４】
前記少なくとも１つの凹溝は、前記チューブの前記長さの少なくとも一部に沿って延在
する１つ以上の隆起を画定し、前記隆起は、組織と前記１つ以上のアパーチャとの間の隙
間を許容するように構成および配列される、請求項８３に記載の方法。
【請求項８５】
前記組織壁は、心臓の右心耳である、請求項８０に記載の方法。
【請求項８６】
前記組織壁は、心臓の臓側心膜である、請求項８０に記載の方法。
【請求項８７】
前記第１ポートは、さらに送達源との動作接続が可能であり、前記第１チャネルは、物
質を含有する送達源が前記第１ポートに動作可能に取り付けられた際、前記物質を送達す
るように構成される、請求項８１に記載の方法。
【請求項８８】
前記送達源内に存在する前記物質の少なくとも一部分が、前記第１チャネルを通じ、か
つ前記第１チャネルと連通する前記１つ以上のアパーチャのうちの少なくとも１つを通じ
て、前記送達源から標的部位へ送達されるように、物質を含有する送達源を前記第１ポー
トに動作可能に接続するステップをさらに含む、請求項８７に記載の方法。
【請求項８９】
前記物質は、抗生物質、細胞分裂阻害剤、硬化剤、細胞傷害性薬物、免疫調節剤、およ
びクリスタロイドグルココルチコイドから成る群からの少なくとも１つの物質を含む、請
求項８８に記載の方法。
【請求項９０】
前記間隙内に存在する前記物質の少なくとも一部分が、前記第１チャネルと連通する前
記１つ以上のアパーチャに進入し、前記第１チャネルを介して除去されるように、第１真
空源を前記第１ポートに動作可能に接続するステップをさらに含む、請求項８８に記載の
方法。
【請求項９１】
前記吸引カテーテルは、前記チューブ内でその前記長さに沿って位置付けられる第２チ
ャネルを画定する第２管腔をさらに含み、１つ以上の送達アパーチャが前記チューブに沿
って画定され、前記１つ以上の送達アパーチャは、前記チューブの前記外壁から前記チュ
ーブの前記第２管腔へと延在し、前記チューブの前記遠位端またはその近傍に存在する、
請求項８１に記載の方法。
【請求項９２】
第２ポートが、前記チューブの前記近位端またはその近傍で連通し、前記第２ポートは
前記第２チャネルに動作可能に接続され、前記第２ポートはさらに送達源との動作接続が
可能であり、前記第２チャネルは、物質を含有する送達源が前記第２ポートに動作可能に
取り付けられた際、前記物質を送達するように構成される、請求項９１に記載の方法。
【請求項９３】
前記送達源内に存在する前記物質の少なくとも一部分が、前記第２チャネルを通じ、か
つ前記第２チャネルと連通する１つ以上の送達アパーチャのうちの少なくとも１つを通じ
て、前記送達源から標的部位へ送達されるように、物質を含有する送達源を前記第２ポー
トに動作可能に接続するステップをさらに含む、請求項９２に記載の方法。
【請求項９４】
吸引カテーテルを使用して組織から流体を除去するための方法であって、
システムを提供するステップであって、
近位端、遠位端、ならびに前記近位端と前記遠位端との間に延在する第１管腔を含む係
合カテーテルと、
近位端、遠位端、ならびに前記近位端と前記遠位端との間に延在する中空円筒を含む穿
刺カテーテルであって、前記送達カテーテルの前記遠位端に針を有し、前記中空円筒が前
記係合カテーテルの前記第１管腔に挿入できるように構成される穿刺カテーテルと、
吸引カテーテルであって、
細長いチューブであって、近位端、遠位端、前記チューブの長さに沿って周方向に位置
付けられる外壁、ならびに前記チューブ内の管腔を画定する前記チューブの前記長さに沿
って周方向に位置付けられる内壁を含み、前記内壁は、前記チューブの前記長さに沿って
第１チャネルを形成する細長いチューブと、
前記チューブに沿って画定される１つ以上のアパーチャであって、前記１つ以上のアパ
ーチャは、前記チューブの前記外壁から前記チューブの前記内壁へと延在し、前記１つ以
上のアパーチャは、前記チューブの前記遠位端またはその近傍に存在し、前記１つ以上の
アパーチャのうちの少なくとも１つは、前記第１チャネルと連通するアパーチャと、
前記チューブの前記近位端と連通する第１ポートであって、前記第１チャネルに動作可
能に接続され、前記第１真空源との動作接続が可能である第１ポートと、を含み、
前記チャネルは、体内の間隙内に存在する流体を前記第１チャネルと連通する前記１つ
以上のアパーチャに進入させ、前記第１真空源が前記第１ポートに動作可能に取り付けら
れた際、前記第１チャネルを介して除去させるように構成される吸引カテーテルと、を含
み、
前記吸引カテーテルは、前記係合カテーテルの前記第１管腔に挿入できるように構成さ
れる、ステップと、
前記係合カテーテルの前記遠位端が組織内の間隙を囲む組織壁またはその近傍に位置付
けられるように、前記係合カテーテルを体内に挿入するステップと、
前記穿刺カテーテルを前記係合カテーテルの前記第１管腔に挿入するステップであって
、前記穿刺カテーテルは、前記係合カテーテルの前記遠位端を出て、前記穿刺カテーテル
の前記針で前記組織壁を穿刺するステップと、
前記穿刺カテーテルを前記係合カテーテルから除去するステップと、
前記係合カテーテルの前記第１管腔に前記吸引カテーテルを挿入するステップであって
、前記吸引カテーテルは、前記吸引カテーテルの前記遠位端が前記組織壁によって囲まれ
る前記間隙内に存在し、前記間隙内に存在する流体と接触するように、前記組織壁を通じ
て前記係合カテーテルの前記遠位端を出るステップと、
前記間隙内に存在する前記流体の少なくとも一部分が、前記第１チャネルと連通する前
記１つ以上のアパーチャに進入し、前記第１チャネルを介して除去されるように、第１真
空源を前記第１ポートに動作可能に接続するステップと、を含む、方法。
【請求項９５】
前記係合カテーテルから前記送達カテーテルを除去するステップをさらに含む、請求項
４６に記載の方法。
【請求項９６】
吸引カテーテルを前記係合カテーテルの前記第２管腔に挿入するステップをさらに含み
、前記吸引カテーテルは、前記吸引カテーテルの遠位端が少なくとも部分的に前記穿刺さ
れた組織によって囲まれる間隙内に存在し、前記間隙内に存在する流体と接触するように
、前記穿刺された組織を通って前記係合カテーテルの前記遠位端を出る、請求項９５に記
載の方法。
【請求項９７】
前記吸引カテーテルは、
細長い吸引チューブであって、近位端、遠位端、前記吸引チューブの前記長さに沿って
周方向に位置付けられる外壁、ならびに前記吸引チューブ内の管腔を画定する前記吸引チ
ューブの前記長さに沿って周方向に位置付けられる内壁を含み、前記内壁は、前記吸引チ
ューブの前記長さに沿って第１チャネルを形成する細長い吸引チューブと、
前記チューブに沿って画定される１つ以上のアパーチャであって、前記１つ以上のアパ
ーチャは、前記チューブの前記外壁から前記吸引チューブの前記内壁へと延在し、前記１
つ以上のアパーチャは、前記吸引チューブの前記遠位端またはその近傍に存在し、前記１
つ以上のアパーチャのうちの少なくとも１つは、前記第１チャネルと連通するアパーチャ
と、
前記吸引チューブの前記近位端と連通する吸引カテーテルポートであって、前記第１チ
ャネルに動作可能に接続され、吸引カテーテルの真空源との動作接続が可能である吸引カ
テーテルポートと、を含み、
前記第１チャネルは、体内の間隙内に存在する流体を前記第１チャネルと連通する前記
１つ以上のアパーチャに進入させ、前記吸引カテーテルの真空源が前記吸引カテーテルポ
ートに動作可能に取り付けられた際、前記第１チャネルを介して除去させるように構成さ
れ、
前記吸引カテーテルは、前記係合カテーテルの前記第２管腔に挿入できるように構成さ
れる、請求項９６に記載の方法。
【請求項９８】
前記間隙内に存在する前記流体の少なくとも一部分が前記第１チャネルと連通する前記
１つ以上のアパーチャに進入し、前記第１チャネルを介して除去されるように、吸引カテ
ーテルの真空源を前記吸引カテーテルポートに動作可能に接続するステップをさらに含む
、請求項９７に記載の方法。
【発明の詳細な説明】
【技術分野】
【０００１】
本発明は、経心膜的アクセスのための装置、システム、および方法に関する。
【背景技術】
【０００２】
本国際特許出願は、２００７年４月２７日出願の米国仮特許出願第６０／９１４，４５
２号、および２００６年６月３０日出願の米国仮特許出願第６０／８１７，４２１号に対
する優先権を主張する、２００７年６月２９日出願の国際出願第ＰＣＴ／ＵＳ２００７／
０１５２０７号に対する優先権を主張し、少なくとも一部の指定国においてはその一部継
続出願であると見なされるべきである、２００８年２月５日出願の国際特許出願第ＰＣＴ
／ＵＳ２００８／０５３０６１号に対する優先権を主張し、少なくとも一部の指定国にお
いてはその一部継続出願であると見なされるべきである。本出願は、２００７年４月２７
日出願の米国仮特許出願第６０／９１４，４５２号に対しても優先権を主張する。これら
の出願の各々は、参照することにより本明細書に組み込まれる。
【０００３】
虚血性心疾患または冠状動脈性心疾患によって、他のいずれの単一原因よりも多くの米
国人が毎年死亡している。２００４年には、米国において５人に１人が虚血性心疾患によ
り死亡している。この疾患は、世界中で実に深刻な影響を及ぼしている。未治療のままで
あると、虚血性心疾患は慢性心不全に至る場合があり、これは血液を送り出す心臓の能力
の著しい低下として定義され得る。慢性心不全は、しばしば薬物療法で治療される。
【０００４】
虚血性心疾患は、一般に、心筋に対する血流の減少によって特徴付けられ、やはりしば
しば薬物療法で治療される。使用可能な薬物の多くは、全身的に投与することができるが
、心臓に直接局所薬物送達（「ＬＤＤ」）することにより、局所薬物濃度が高まり、全身
性副作用を低減することができ、結果として治療転帰を改善する。
【０００５】
心臓病薬は、血管を通るカテーテルを介して心臓の内部に局所的に送達し得る。しかし
、管腔内薬物送達は、（１）送達が一貫しない、（２）位置特定の効率が低い、（３）循
環への流出が比較的速い、等の幾つかの短所を有する。
【０００６】
そのような短所を克服するために、心臓の外表面を囲む心膜腔に薬物を直接送達するこ
とができる。心膜腔は、心臓と心臓を包む比較的堅い心膜嚢との間に形成された空洞であ
る。心膜嚢および心臓がそのような近接状態にあるため、通常、心膜腔は比較的小さいが
、カテーテルを使用して、心膜腔に薬物を注入し、心筋組織および冠動脈組織に局所投与
することができる。心膜腔を介して心臓に薬剤を供給する薬物送達方法は、（１）強化さ
れた一貫性および（２）心臓組織に対する薬物の長時間暴露、を含む、管腔内送達を越え
る幾つかの利点を提供する。
【０００７】
現行の医療において、薬物は、経皮的経心室方法または経胸腔的アプローチのいずれか
によって心膜腔に送達される。経皮的経心室方法は、心室心筋を通じて心膜腔にカテーテ
ルを制御挿入するステップを含む。経胸腔的アプローチは、吸引先端を備えるシース針を
使用し、心膜を把持して心臓の外側から心膜腔にアクセスするステップと、心筋から心膜
を引き離して心膜腔を拡張するステップと、針を用いて心膜腔に薬物を注入するステップ
と、を含む。
【０００８】
慢性心不全を有する患者の一部には、心機能を改善させるために薬物療法に加えて心臓
再同期療法（「ＣＲＴ」）を使用することができる。そのような患者は、一般に、左右心
室をわずかにずれて拍動（すなわち、収縮期を開始）させる伝導異常を有し、これが心臓
の既に制限されている機能をさらに低下させる。ＣＲＴは、心室を再同期することにより
同期不全の問題の解決を助け、これにより心機能の改善に至る。該療法は、心臓の指定領
域への電気リードの配置を通じて心室の少なくとも１つのペーシングの制御を助ける、埋
め込み型装置の使用を伴う。そして、小さな電気信号がリードを介して心臓に送達され、
左右心室を同時に拍動させる。
【０００９】
心臓への薬物の局所送達と同様、心臓へのＣＲＴリードの配置は、標的配置部位が左心
室である場合、特に困難であり得る。リードは、冠状静脈洞を介した経静脈的アプローチ
、心外膜での外科的配置、または心内膜的アプローチを用いて配置することができる。リ
ード配置のこれらの方法に伴う問題には、不適切な位置への配置（電気信号に応答しない
瘢痕組織またはその近傍への不慮の配置を含む）、配置中の冠状静脈洞または心静脈の切
開または穿孔、配置中の長時間の蛍光透視鏡への暴露（および関連する放射線のリスク）
、配置後のリードの除去、ならびに配置に要する長く予測不可能な所要時間（約３０分か
ら数時間の範囲）が含まれる。
【００１０】
臨床的に、心膜腔にアクセスするために承認された唯一の非外科的手段は、剣状突起下
カテーテル、および超音波誘導尖端および胸骨傍針カテーテル手技を含み、各方法は経胸
腔的アプローチを含む。剣状突起下方法においては、蛍光透視誘導下で、吸引先端を備え
るシース針を剣状突起下位置から縦隔に進める。カテーテルは、心膜嚢の前方外表面上に
位置付けられ、吸引先端を使用して心膜を把持し、心臓組織から引き離すことによって、
心膜嚢と心臓との間にさらなる隙間を形成する。さらなる隙間は、心膜嚢が穿刺される場
合に、心筋が不注意に穿刺される可能性を低減する傾向がある。
【００１１】
本手技は正常な心臓において有効に機能するが、罹患または肥大した心臓、すなわち、
まさに薬物送達およびＣＲＴリード配置を最も必要とする心臓においては重大な制限があ
る。心臓が肥大している場合、心膜腔は著しく小さく、右心室またはその他の心臓構造を
穿刺するリスクが増大する。さらに、心膜は非常に堅い膜であるため、心膜の吸引は心膜
をほとんど変形させず、そのため、提供される心臓からの心膜の隙間は非常に小さい。
【００１２】
すでに言及されたように、心臓は、心膜と称される「嚢」によって囲まれている。心臓
の表面と心膜との間の間隙は、通常、流体が心膜内に貯留する緊急状態として定義される
心タンポナーデを発症する前には、少量の流体のみ収容することができる。したがって、
心穿孔が急速にタンポナーデをもたらし得ることは当然のことであり、これは致死的であ
り得る。しかしながら、徐々に貯留する浸出液では、多くの疾病においてよく見られるこ
とであるが、タンポナーデをもたらすことなく、大量の浸出液が貯留され得る。主要な要
因は、心膜内の総容積のために心膜がその圧力−容積関係の不適合領域に達することであ
り、その場合、タンポナーデは急激に発症する。Ｌｉｔｔｌｅ  Ｗ．Ｃ．，Ｆｒｅｅｍａ
ｎ  Ｇ．Ｌ．（２００６）．“Ｐｅｒｉｃａｒｄｉａｌ  Ｄｉｓｅａｓｅ．”Ｃｉｒｃｕ
ｌａｔｉｏｎ  １１３（１２）：１６２２−１６３２。
【００１３】
心タンポナーデは、心膜腔内の流体貯留が、心臓充満が影響を受ける点まで心臓を囲む
圧力を上昇させるのに十分である時に起こる。最終的に、加圧された心膜液浸出による心
臓の圧迫が、著しい静脈圧の上昇および心拍出量の低下をもたらし、ショック状態を引き
起こし、治療されなければ急速に致命的となり得る。同上。
【００１４】
異なる原因の心膜液浸出の頻度は、一部地理および患者集団によって異なる。Ｃｏｒｅ
ｙ  Ｇ．Ｒ．（２００７）．“Ｄｉａｇｎｏｓｉｓ  ａｎｄ  ｔｒｅａｔｍｅｎｔ  ｏｆ
ｐｅｒｉｃａｒｄｉａｌ  ｅｆｆｕｓｉｏｎ．”ｈｔｔｐ：／／ｐａｔｉｅｎｔｓ．ｕ
ｐｔｏｄａｔｅ．ｃｏｍ。心膜液浸出の高い発生率は、一部の疾病に関連する。例えば、
癌患者の２１パーセントが心膜への転移を有する。最も一般的なものは、肺癌（悪性浸出
液の３７％）、乳癌（２２％）、および白血病／リンパ腫（１７％）である。ＨＩＶ患者
は、ＡＩＤＳを発症しているいないに関わらず、高い有病率を有することが見出され、４
１〜８７％が無症状性の浸出、１３％が中程度から重度の浸出を有する。Ｓｔｒｉｍｅｌ
Ｗ．Ｊ．ｅ．ａ．（２００６）．“Ｐｅｒｉｃａｒｄｉａｌ  Ｅｆｆｕｓｉｏｎ．”ｈ
ｔｔｐ：／／ｗｗｗ．ｅｍｅｄｉｃｉｎｅ．ｃｏｍ／ｍｅｄ／ｔｏｐｉｃ１７８６．ｈｔ
ｍ。
【００１５】
末期腎疾患は、大きな公衆衛生問題である。米国では、３５０，０００を超える患者が
血液透析または持続的外来腹膜透析のいずれかで治療を受けている。Ｖｅｎｋａｔ  Ａ．
，Ｋａｕｆｍａｎｎ  Ｋ．Ｒ．，Ｖｅｎｋａｔ  Ｋ．（２００６）．“Ｃａｒｅ  ｏｆ  
ｔｈｅ  ｅｎｄ−ｓｔａｇｅ  ｒｅｎａｌ  ｄｉｓｅａｓｅ  ｐａｔｉｅｎｔ  ｏｎ  ｄ
ｉａｌｙｓｉｓ  ｉｎ  ｔｈｅ  ＥＤ．”Ａｍ  Ｊ  Ｅｍｅｒｇ  Ｍｅｄ  ２４（７）：
８４７−５８。腎不全は、患者の最大２０％に大量の心膜液浸出を引き起こす、心膜疾患
の一般的な原因である。Ｔａｓｋ  Ｆｏｒｃｅ  ｍｅｍｂｅｒｓ，Ｍａｉｓｃｈ  Ｂ．，
Ｓｅｆｅｒｏｖｉｃ  Ｐ．Ｍ．，Ｒｉｓｔｉｃ  Ａ．Ｄ．，Ｅｒｂｅｌ  Ｒ．，Ｒｉｅｎ
ｍｕｌｌｅｒ  Ｒ．，Ａｄｌｅｒ  Ｙ．，Ｔｏｍｋｏｗｓｋｉ  Ｗ．Ｚ．，Ｔｈｉｅｎｅ
Ｇ．，Ｙａｃｏｕｂ  Ｍ．Ｈ．，ＥＳＣ  Ｃｏｍｍｉｔｔｅｅ  ｆｏｒ  Ｐｒａｃｔｉ
ｃｅ  Ｇｕｉｄｅｌｉｎｅｓ，Ｐｒｉｏｒｉ  Ｓ．Ｇ．，Ａｌｏｎｓｏ  Ｇａｒｃｉａ  
Ｍ．Ａ．，Ｂｌａｎｃ  Ｊ．−Ｊ．，Ｂｕｄａｊ  Ａ．，Ｃｏｗｉｅ  Ｍ．，Ｄｅａｎ  
Ｖ．，Ｄｅｃｋｅｒｓ  Ｊ．，Ｆｅｒｎａｎｄｅｚ  Ｂｕｒｇｏｓ  Ｅ．，Ｌｅｋａｋｉ
ｓ  Ｊ．，Ｌｉｎｄａｈｌ  Ｂ．，Ｍａｚｚｏｔｔａ  Ｇ．，Ｍｏｒａｉｅｓ  Ｊ．，Ｏ
ｔｏ  Ａ．，Ｓｍｉｓｅｔｈ  Ｏ．Ａ．，Ｄｏｃｕｍｅｎｔ  Ｒｅｖｉｅｗｅｒｓ，Ａｃ
ａｒ  Ｊ．，Ａｒｂｕｓｔｉｎｉ  Ｅ．，Ｂｅｃｋｅｒ  Ａ．Ｅ．，Ｃｈｉａｒａｎｄａ
Ｇ．，Ｈａｓｉｎ  Ｙ．，Ｊｅｎｎｉ  Ｒ．，Ｋｌｅｉｎ  Ｗ．，Ｌａｎｇ  Ｉ．，Ｌ
ｕｓｃｈｅｒ  Ｔ．Ｆ．，Ｐｉｎｔｏ  Ｆ．Ｊ．，Ｓｈａｂｅｔａｉ  Ｒ．，Ｓｉｍｏｏ
ｎｓ  Ｍ．Ｌ．，Ｓｏｌｅｒ  Ｓｏｌｅｒ  Ｊ．，Ｓｐｏｄｉｃｋ  Ｄ．Ｈ．（２００４
）．“Ｇｕｉｄｅｌｉｎｅｓ  ｏｎ  ｔｈｅ  Ｄｉａｇｎｏｓｉｓ  ａｎｄ  Ｍａｎａｇ
ｅｍｅｎｔ  ｏｆ  Ｐｅｒｉｃａｒｄｉａｌ  Ｄｉｓｅａｓｅｓ  Ｅｘｅｃｕｔｉｖｅ  
Ｓｕｍｍａｒｙ：Ｔｈｅ  Ｔａｓｋ  Ｆｏｒｃｅ  ｏｎ  ｔｈｅ  Ｄｉａｇｎｏｓｉｓ  
ａｎｄ  Ｍａｎａｇｅｍｅｎｔ  ｏｆ  Ｐｅｒｉｃａｒｄｉａｌ  Ｄｉｓｅａｓｅｓ  ｏ
ｆ  ｔｈｅ  Ｅｕｒｏｐｅａｎ  Ｓｏｃｉｅｔｙ  ｏｆ  Ｃａｒｄｉｏｌｏｇｙ．”Ｅｕ
ｒ  Ｈｅａｒｔ  Ｊ  ２５（７）：５８７−６１０。
【００１６】
ウイルス性心膜炎は、心膜の最も一般的な感染症である。炎症性異常は、直接的ウイル
ス攻撃、免疫応答（抗ウイルスまたは抗心臓）、またはその両方による。同上。成人の化
膿性（細菌性）心膜炎はまれであるが、治療されなければ常に致命的である。治療された
患者の死亡率は４０％であり、ほとんどが心タンポナーデ、毒性、および狭窄による。大
抵は、連続的な伝播または血行性の拡散により生じる、体内の他の場所から発生した感染
症の合併症である。同上。心膜炎の他の形態には、結核性および腫瘍性が含まれる。
【００１７】
最も一般的な続発性悪性腫瘍は、肺癌、乳癌、悪性黒色腫、リンパ腫、および白血病で
ある。切迫したタンポナーデでは、浸出は少量あるいは大量であり得る。悪性と確認され
た患者のほぼ３分の２において、例えば放射線心膜炎または日和見感染等の悪性でない疾
病によって、心膜液浸出が引き起こされる。悪性心膜疾患の確認には、心膜流体の分析、
心膜または心外膜生検が必須である。同上。
【００１８】
心膜液浸出の管理は、依然として問題である。この難しい病型を治療するための最良の
方法に関して一様な合意はない。心膜液浸出を有する患者の約半分が心タンポナーデの症
状を呈する。これらの症例の場合、根本原因にかかわらず、心膜の除圧により症状が緩和
する。Ｇｅｏｒｇｈｉｏｕ  Ｇ．Ｐ．，Ｓｔａｍｌｅｒ  Ａ．，Ｓｈａｒｏｎｉ  Ｅ．，
Ｆｉｃｈｍａｎ−Ｈｏｒｎ  Ｓ．，Ｂｅｒｍａｎ  Ｍ．，Ｖｉｄｎｅ  Ｂ．Ａ．，Ｓａｕ
ｔｅ  Ｍ．（２００５）．“Ｖｉｄｅｏ−Ａｓｓｉｓｔｅｄ  Ｔｈｏｒａｃｏｓｃｏｐｉ
ｃ  Ｐｅｒｉｃａｒｄｉａｌ  Ｗｉｎｄｏｗ  ｆｏｒ  Ｄｉａｇｎｏｓｉｓ  ａｎｄ  Ｍ
ａｎａｇｅｍｅｎｔ  ｏｆ  Ｐｅｒｉｃａｒｄｉａｌ  Ｅｆｆｕｓｉｏｎｓ．”Ａｎｎ  
Ｔｈｏｒａｃ  Ｓｕｒｇ  ８０（２）：６０７−６１０。症候性心膜液貯留は一般的であ
り、種々の原因から生じ得る。薬物治療で浸出が管理できない、あるいは診断が必要であ
る場合、外科的介入が必要となる。同上。
【００１９】
心膜液浸出の最も効果的な管理はまだ特定されていない。従来の手順は、全身麻酔下で
の心膜開窓の外科的配置である。これらの患者は頻繁に複数の併存症を有するため、この
手順は重大な手術および麻酔リスクを意味する。盲目針心膜穿刺術等の低侵襲性手技は、
高い合併症および再発率を有する。長期カテーテルドレナージを用いた心エコー誘導下の
心膜穿刺術の手技は、静脈内鎮静方での局所麻酔薬下で行われる。適所のカテーテルを用
いて心膜切開を行うことにより、長期ドレナージおよび硬化療法が可能になる。心エコー
誘導下の心膜穿刺術は、大学付属または学術機関で行われる場合、安全で成功する手順で
あることが示されている。しかし、地域の病院での実践の詳細についてはほとんど研究さ
れていない。Ｂｕｃｈａｎａｎ  Ｃ．Ｌ．，Ｓｕｌｌｉｖａｎ  Ｖ．Ｖ．，Ｌａｍｐｍａ
ｎ  Ｒ．，Ｋｕｌｋａｒｎｉ  Ｍ．Ｇ．（２００３）．“Ｐｅｒｉｃａｒｄｉｏｃｅｎｔ
ｅｓｉｓ  ｗｉｔｈ  ｅｘｔｅｎｄｅｄ  ｃａｔｈｅｔｅｒ  ｄｒａｉｎａｇｅ：ａｎ  
ｅｆｆｅｃｔｉｖｅ  ｔｈｅｒａｐｙ．”Ａｎｎ  Ｔｈｏｒａｃ  Ｓｕｒｇ  ７６（３）
：８１７−８２。
【００２０】
心タンポナーデの治療は、心膜液浸出のドレナージである。医学的管理は通常効果がな
く、心膜ドレナージの手配がなされる間のみ、使用されるべきである。患者の体液量が減
少している場合（低循環血液量による心タンポナーデ）、流体蘇生法は一時的な利益でし
かない場合がある。
【００２１】
外科的ドレナージ（または心膜切除術）は、多くの患者にとって過剰である。最良の選
択肢は、ピッグテール型ドレナージカテーテルを残してドレナージが完了するまで適所に
保持するセルディンガー手技を用いた心膜穿刺術である。Ｓａｇｒｉｓｔａ  Ｓａｕｌｅ
ｄａ  Ｊ．，Ｐｅｒｍａｎｙｅｒ  Ｍｉｒａｌｄａ  Ｇ．，Ｓｏｌｅｒ  Ｓｏｌｅｒ  Ｊ
．（２００５）．“［Ｄｉａｇｎｏｓｉｓ  ａｎｄ  ｍａｎａｇｅｍｅｎｔ  ｏｆ  ａｃ
ｕｔｅ  ｐｅｒｉｃａｒｄｉａｌ  ｓｙｎｄｒｏｍｅｓ］．”Ｒｅｖ  Ｅｓｐ  Ｃａｒｄ
ｉｏｌ  ５８（７）：８３０−４１。この低侵襲性手技は、短い手術時間、補給品、外科
医、および麻酔費用の軽減をもたらした。我々の機関で心膜開窓とカテーテルドレナージ
を伴うエコー誘導下の心膜穿刺術との手順費用を比較すると、カテーテルドレナージを支
持する約＄１，８００／症例の費用節減があった。医療費が高騰する時代には、これらの
節減は注目に値する重要性を持つ。Ｂｕｃｈａｎａｎ  Ｃ．Ｌ．，Ｓｕｌｌｉｖａｎ  Ｖ
．  Ｖ．，Ｌａｍｐｍａｎ  Ｒ．，Ｋｕｌｋａｒｎｉ  Ｍ．Ｇ．（２００３）．“Ｐｅｒ
ｉｃａｒｄｉｏｃｅｎｔｅｓｉｓ  ｗｉｔｈ  ｅｘｔｅｎｄｅｄ  ｃａｔｈｅｔｅｒ  ｄ
ｒａｉｎａｇｅ：ａｎ  ｅｆｆｅｃｔｉｖｅ  ｔｈｅｒａｐｙ．”Ａｎｎ  Ｔｈｏｒａｃ
Ｓｕｒｇ  ７６（３）：８１７−８２。
【００２２】
明らかに、心膜液浸出およびタンポナーデの治療に対する、小侵襲で安全かつ効果的な
アプローチの臨床的必要性が存在する。本出願は、浸出の根本原因を治療するために、特
に流体ドレナージ、流体診断、蘇生法、および治療送達に使用される特殊なカテーテルと
組み合わせて、先に開示された安全で効果的な経心膜的アクセスアプローチを利用する。
【発明の概要】
【発明が解決しようとする課題】
【００２３】
したがって、心臓にアクセスするために使用し、治療物質および診断物質、ならびにＣ
ＲＴリードおよび他の種類のリードを局所送達することができる、効率的で使い易く比較
的安価な装置、システム、および手技が必要である。また、組織内で流体を含有する間隙
にアクセスするために使用し、流体を除去し、必要な場合は任意選択的に物質を送達する
ことができる、効率的で使い易く比較的安価な装置、システム、および手技が必要である
。
【課題を解決するための手段】
【００２４】
限定されないが、心臓の内部組織および外部組織にアクセスするステップを含む、組織
に係合するための装置、システム、および方法を本明細書に開示する。開示される実施形
態のうちの少なくとも一部は、心臓組織にリードを局所送達するための心膜腔を通じた心
臓の外表面へのアクセスを提供する。さらに、開示される種々の実施形態は、組織に係合
するための装置、システム、および方法を提供する。
【００２５】
本開示に従う組織に係合するために真空源と併用するシステムの少なくとも１つの実施
形態において、システムは、近位端、遠位端、近位端と遠位端との間に延在する第１およ
び第２管腔、ならびに遠位端に動作可能に接続されるスカートを含む係合カテーテルであ
って、スカートは、係合カテーテルの外周と実質的に同様の周囲を有する近位端を含み、
スカートは、係合カテーテルの外周よりも大きな周囲を有する遠位端をさらに含む係合カ
テーテルと、近位端、遠位端、および近位端と遠位端との間に延在する中空チューブを含
む送達カテーテルであって、中空チューブを係合カテーテルの第２管腔に挿入できるよう
に構成される送達カテーテルと、送達カテーテルの遠位端に位置する針と、係合カテーテ
ルの近位端に位置する真空ポートであって、係合カテーテルの第１管腔に動作可能に接続
され、真空源との動作接続が可能である真空ポートと、を含み、係合カテーテルの第１管
腔は、係合カテーテルの遠位端またはその近傍に位置する吸引ポートを含み、吸引ポート
は、スカートの近位端を組織の表面に着脱可能に係合させるように構成され、真空源が真
空ポートに動作可能に取り付けられた際、スカートが組織の表面との可逆的密閉を形成で
きるようにする。別の実施形態において、システムは、心臓を囲む心膜嚢から標的組織を
引き離すことによって、標的組織と心膜嚢との間の心膜腔を拡張できる。さらに別の実施
形態において、システムによって係合される組織は心臓である。さらなる実施形態におい
て、システムは、スカートが心臓の内壁に取り付けられた際、心臓と心膜嚢との間の心膜
腔を拡張することができる。
【００２６】
本開示に従う組織に係合するために真空源と併用するシステムの少なくとも１つの実施
形態において、スカートは、変形可能な構成を含む。別の実施形態において、スカートの
変形可能な構成は、拡張構成に拡張することができる。さらに別の実施形態において、拡
張構成はフラスト円錐形構成である。さらなる実施形態において、拡張構成は不定形のフ
ラスト円錐形構成である。
【００２７】
本開示に従う組織に係合するために真空源と併用するシステムの少なくとも１つの実施
形態において、システムは、近位端、遠位端、ならびに近位端と遠位端との間に延在する
管腔を含むスリーブをさらに含み、スリーブは、係合カテーテルの周囲の周方向に位置付
けられ、スリーブは、係合カテーテルに摺動係合する。別の実施形態において、スリーブ
は係合カテーテルの遠位端に位置付けることができ、スリーブは少なくとも部分的にスカ
ートを囲む。さらに別の実施形態において、スカートの変形可能な構成は、スリーブによ
り少なくとも部分的に囲まれた際に仕舞われる。
【００２８】
本開示に従う組織に係合するために真空源と併用するシステムの少なくとも１つの実施
形態において、スリーブはスカートを囲まないように係合カテーテルに沿って位置付けら
れ、スカートは拡張構成に拡張することができる。別の実施形態において、拡張構成はフ
ラスト円錐形構成である。さらに別の実施形態において、拡張構成は不定形のフラスト円
錐形構成である。
【００２９】
本開示に従う組織に係合するために真空源と併用するシステムの少なくとも１つの実施
形態において、標的組織は心房壁の一部分を含む。別の実施形態において、標的組織は心
耳の一部分を含む。さらに別の実施形態において、中空チューブが第２管腔に挿入され、
吸引ポートが標的組織に取り付けられた際、標的組織を穿刺できるように針が位置付けら
れ、標的組織が穿刺された際、心膜腔へのアクセスが達成されるようにする。さらなる実
施形態において、システムは、心膜腔に挿入するためのガイドワイヤをさらに含む。また
さらなる実施形態において、針は中空チューブと連通する中空針を含み、ガイドワイヤは
中空チューブおよび中空針を通って心膜腔に挿入できる。
【００３０】
本開示に従う組織に係合するために真空源と併用するシステムの少なくとも１つの実施
形態において、係合カテーテルは係合カテーテルの第２管腔と流体連通する注入チャネル
をさらに含み、注入チャネルは流体を標的組織に投与するように構成される。別の実施形
態において、流体は接着剤を含む。さらに別の実施形態において、注入チャネルはリング
型である。
【００３１】
本開示に従う組織に係合するために真空源と併用するシステムの少なくとも１つの実施
形態において、係合カテーテルは、係合カテーテルの長さに沿って形成された注入チャネ
ルをさらに含み、注入チャネルは、その遠位端において、流体を標的組織に投与するため
の少なくとも１つの開口を有し、注入チャネルは、注入チャネルの近位端において、外部
流体源に動作可能に取り付けることができ、外部流体源が注入チャネルに動作可能に取り
付けられた際、外部流体源からの流体が注入チャネルを通じて標的組織に流れ得るように
する。別の実施形態において、針は、標的組織を穿刺するための針ワイヤを含む。さらに
別の実施形態において、針は、圧力先端針を含む。
【００３２】
本開示に従う組織に係合するために真空源と併用するシステムの少なくとも１つの実施
形態において、係合カテーテルは、係合カテーテルの長さに沿って湾曲を含む。別の実施
形態において、係合カテーテルの湾曲は、約４５度の角度を形成する。さらに別の実施形
態において、係合カテーテルの湾曲は、約９０度の角度を形成し、係合カテーテルの一部
分が係合カテーテルの別の部分とほぼ垂直になるようにする。さらなる実施形態において
、係合カテーテルの湾曲は、係合カテーテルの一部分が係合カテーテルの別の部分とほぼ
平行になるような角度を形成する。
【００３３】
本開示に従う組織に係合するために真空源と併用する係合カテーテルの少なくとも１つ
の実施形態において、係合カテーテルは、細長いチューブであって、近位端、遠位端、チ
ューブの長さに沿って周方向に位置付けられる外壁、およびチューブの長さに沿って周方
向に位置付けられる内壁を含み、外壁および内壁は、外壁と内壁との間でチューブの長さ
に沿って少なくとも１つの吸引チャネルを形成する細長いチューブと、チューブの遠位端
に動作可能に接続されるスカートであって、チューブの外周と実質的に同様の周囲を有す
る近位端を含み、チューブの周囲よりも大きい周囲を有する遠位端をさらに含むスカート
と、チューブの近位端と連通する真空ポートであって、少なくとも１つの吸引チャネルに
動作可能に接続され、真空源との動作接続が可能である真空ポートと、チューブの遠位端
において、少なくとも１つの吸引チャネルと連通する吸引ポートであって、吸引ポートは
、スカートの近位端を組織の表面に着脱可能に係合させるように構成され、真空源が真空
ポートに動作可能に取り付けられた際、スカートが組織の表面との可逆的密閉を形成でき
るようにする吸引ポートと、を含む。別の実施形態において、スカートは、変形可能な構
成を含む。さらに別の実施形態において、スカートの変形可能な構成は、拡張構成に拡張
できる。さらなる実施形態において、拡張構成はフラスト円錐形構成である。またさらな
る実施形態において、拡張構成は不定形のフラスト円錐形構成である。
【００３４】
本開示に従う組織に係合するために真空源と併用する係合カテーテルの少なくとも１つ
の実施形態において、スカートがスリーブにより少なくとも部分的に囲まれた際、スカー
トは仕舞構成を有し、スカートがスリーブにより囲まれない時には、スカートは拡張構成
を有する。別の実施形態において、係合カテーテルのスカートにより係合される組織は、
心臓である。さらに別の実施形態において、スカートは、スカートが心臓の内壁に取り付
けられた際、心臓と心膜嚢との間の心膜腔を拡張できる。
【００３５】
本開示に従う組織に係合するために真空源と併用する係合カテーテルの少なくとも１つ
の実施形態において、係合カテーテルは、少なくとも１つの吸引チャネル内に位置付けら
れ、外壁および内壁に取り付けられる少なくとも１つの内部管腔支持をさらに含み、少な
くとも１つの内部管腔支持は、チューブの長さの少なくとも大部分に沿って、チューブの
遠位端から延在する。別の実施形態において、少なくとも１つの内部管腔支持は、２つの
内部管腔支持を含み、少なくとも１つの吸引チャネルは、２つの吸引チャネルを含む。さ
らに別の実施形態において、チューブの長さに沿って形成された注入チャネルをさらに含
み、注入チャネルは、その遠位端において、流体を標的組織に投与するための少なくとも
１つの開口を有し、注入チャネルの近位端において外部流体源に動作可能に取り付けるこ
とができ、外部流体源が注入チャネルに動作可能に取り付けられた際、外部流体源からの
流体が注入チャネルを通じて標的組織に流れ得るようにする。
【００３６】
本開示に従う組織に係合するための方法の少なくとも１つの実施形態において、該方法
は、システムを提供するステップであって、近位端、遠位端、近位端と遠位端との間に延
在する第１および第２管腔、ならびに遠位端に動作可能に接続されるスカートを含む係合
カテーテルであって、スカートは係合カテーテルの外周と実質的に同様の周囲を有する近
位端を含み、スカートは係合カテーテルの外周よりも大きな周囲を有する遠位端をさらに
含む係合カテーテルと、近位端、遠位端、および近位端と遠位端との間に延在する中空チ
ューブを含む送達カテーテルであって、中空チューブを係合カテーテルの第２管腔に挿入
できるように構成される送達カテーテルと、送達カテーテルの遠位端に位置する針と、係
合カテーテルの近位端に位置する真空ポートであって、係合カテーテルの第１管腔に動作
可能に接続され、真空源との動作接続が可能である真空ポートと、を含み、係合カテーテ
ルの第１管腔は、係合カテーテルの遠位端またはその近傍に位置する吸引ポートを含み、
吸引ポートは、スカートの近位端を標的組織の表面に着脱可能に係合させるように構成さ
れ、真空源が真空ポートに動作可能に取り付けられた際、スカートが標的組織と表面との
可逆的密閉を形成できるようにする、ステップと、係合カテーテルの遠位端が標的組織ま
たはその近傍に位置付けられるように、係合カテーテルを体内に挿入するステップと、を
含む。
【００３７】
別の実施形態において、システムは、心臓を囲む心膜嚢から標的組織を引き離すことに
よって、標的組織と心膜嚢との間の心膜腔を拡張できる。さらに別の実施形態において、
係合カテーテルを体内に挿入するステップは、係合カテーテルの遠位端が心臓内に位置付
けられ、スカートが心臓の壁の内部上で標的組織と接触するような、係合カテーテルの挿
入を含む。さらなる実施形態において、該方法は、スカートが心臓の壁の内部上で標的組
織に可逆的に取り付けられるように、真空ポートに真空源を動作可能に接続するステプを
さらに含む。
【００３８】
本開示に従う組織に係合するための方法の少なくとも１つの実施形態において、該方法
は、送達カテーテルを係合カテーテルの第２管腔に挿入するステップをさらに含む。別の
実施形態において、該方法は、針で心臓の壁の内部上の標的組織を穿刺するステップをさ
らに含む。さらに別の実施形態において、該方法は、心膜腔に物質を投与するステップを
さらに含む。さらなる実施形態において、該方法は、標的組織から針を引き抜き、針を引
き抜いた後、標的組織に物質を投与するステップをさらに含む。またさらなる実施形態に
おいて、物質は、標的組織内の刺創を密封するための接着剤を含む。
【００３９】
本開示に従う組織に係合するための方法の少なくとも１つの実施形態において、標的組
織は心房壁の一部分を含む。別の実施形態において、標的組織は心耳の一部分を含む。さ
らに別の実施形態において、該方法は、心臓の壁を通って心膜腔にガイドワイヤを挿入す
ることによって、心膜腔にアクセスするステップをさらに含む。
【００４０】
本開示に従う組織から流体を除去するために真空源と併用するカテーテルの少なくとも
１つの実施形態において、カテーテルは、細長いチューブであって、近位端、遠位端、チ
ューブの長さに沿って周方向に位置付けられる外壁、ならびにチューブ内の管腔を画定す
るチューブの長さに沿って周方向に位置付けられる内壁を含み、内壁は、チューブの長さ
に沿って少なくとも１つの吸引チャネルを形成する細長いチューブと、チューブに沿って
画定される１つ以上のアパーチャであって、１つ以上のアパーチャは、チューブの外壁か
らチューブの内壁へと延在し、１つ以上のアパーチャは、チューブの遠位端またはその近
傍に存在し、１つ以上のアパーチャのうちの少なくとも１つは、少なくとも１つの吸引チ
ャネルと連通するアパーチャと、チューブの近位端と連通する真空ポートであって、少な
くとも１つの吸引チャネルに動作可能に接続され、真空源に動作可能に接続される真空ポ
ートと、を含み、吸引チャネルは、体内の間隙内に存在する流体を、少なくとも１つの吸
引チャネルと連通する１つ以上のアパーチャに進入させ、真空源が真空ポートに動作可能
に取り付けられた際、少なくとも１つの吸引チャネルを介して除去させるように構成され
る。別の実施形態において、少なくとも１つの凹溝が、チューブの長さの少なくとも一部
に沿って延在する外壁上で画定される。さらに別の実施形態において、チューブに沿って
画定される１つ以上のアパーチャは、少なくとも１つの凹溝に沿って画定される。さらな
る実施形態において、少なくとも１つの凹溝は、チューブの長さの少なくとも一部に沿っ
て延在する１つ以上の隆起を画定し、該隆起は、組織と１つ以上のアパーチャとの間に隙
間を許容するように構成および配列される。
【００４１】
本開示に従う組織から流体を除去するために真空源と併用するカテーテルの少なくとも
１つの実施形態において、少なくとも１つの凹溝は、少なくとも３つの凹溝を含む。別の
実施形態において、１つ以上のアパーチャは、少なくとも３つのアパーチャを含む。さら
に別の実施形態において、カテーテルは、カテーテルの長さに沿って湾曲を含む。さらな
る実施形態において、カテーテルは、チューブ内に画定され、チューブの長さに沿って位
置付けられる少なくとも１つの送達チャネルをさらに含み、１つ以上のアパーチャのうち
の少なくとも１つは、少なくとも１つの送達チャネルと連通する。
【００４２】
本開示に従う組織から流体を除去するために真空源と併用するカテーテルの少なくとも
１つの実施形態において、少なくとも１つの送達カテーテルは、少なくとも１つの送達カ
テーテルは、標的部位への送達のために、少なくとも１つの送達チャネルと連通する１つ
以上のアパーチャのうちの少なくとも１つを通じて、送達チャネルの近位端に存在する送
達源から物質を送達するように動作可能である。別の実施形態において、物質は、気体、
液体、および微粒子から成る群からの少なくとも１つの物質を含む。さらに別の実施形態
において、物質は、抗生物質、細胞分裂阻害剤、硬化剤、細胞傷害性薬物、免疫調節剤、
およびクリスタロイドグルココルチコイドから成る群からの少なくとも１つの物質を含む
。さらなる実施形態において、真空ポートは、さらに送達源との動作接続が可能であり、
吸引チャネルは、物質を含有する送達源が真空ポートに動作可能に取り付けられた際、物
質を送達するように構成され、物質は、吸引チャネルを通じ、かつ少なくとも１つの吸引
チャネルと連通する１つ以上のアパーチャのうちの少なくとも１つを通じて、送達源から
標的部位へ送達される。またさらなる実施形態において、真空源はシリンジを含む。
【００４３】
本開示に従う組織から流体を除去するために真空源と併用するシステムの少なくとも１
つの実施形態において、システムは、近位端、遠位端、ならびに近位端と遠位端との間に
延在する管腔を含む係合カテーテルと、吸引カテーテルであって、細長いチューブであっ
て、近位端、遠位端、チューブの長さに沿って周方向に位置付けられる外壁、ならびにチ
ューブ内の管腔を画定するチューブの長さに沿って周方向に位置付けられる内壁を含み、
内壁は、チューブの長さに沿って少なくとも１つの吸引チャネルを形成する細長いチュー
ブと、チューブに沿って画定される１つ以上のアパーチャであって、１つ以上のアパーチ
ャは、チューブの外壁からチューブの内壁へと延在し、１つ以上のアパーチャは、チュー
ブの遠位端またはその近傍に存在し、１つ以上のアパーチャのうちの少なくとも１つは、
少なくとも１つの吸引チャネルと連通するアパーチャと、チューブの近位端と連通する真
空ポートであって、少なくとも１つの吸引チャネルに動作可能に接続され、真空源に動作
可能に接続される真空ポートと、を含み、吸引チャネルは、体内の間隙内に存在する流体
を、少なくとも１つの吸引チャネルと連通する１つ以上のアパーチャに進入させ、真空源
が真空ポートに動作可能に取り付けられた際、少なくとも１つの吸引チャネルを介して除
去させるように構成される、吸引カテーテルと、を含み、吸引カテーテルは、係合カテー
テルの管腔に挿入できるように構成される。別の実施形態において、吸引カテーテルは、
係合カテーテルの管腔を通る挿入を介して組織の間隙に進入するように動作可能である。
さらに別の実施形態において、吸引カテーテルは、係合カテーテルの管腔を通る挿入を介
して心臓の右心耳に進入するように動作可能である。さらなる実施形態において、吸引カ
テーテルは、心臓の臓側心膜に進入して心膜嚢にアクセスするようにさらに動作可能であ
る。
【００４４】
本開示に従う組織から流体を除去するために真空源と併用するシステムの少なくとも１
つの実施形態において、少なくとも１つの凹溝が、チューブの長さの少なくとも一部に沿
って延在する吸引カテーテルの外壁上に画定される。別の実施形態において、チューブに
沿って画定される１つ以上のアパーチャは、少なくとも１つの凹溝に沿って画定される。
さらに別の実施形態において、少なくとも１つの凹溝は、チューブの長さの少なくとも一
部に沿って延在する１つ以上の隆起を画定し、該隆起は、組織と１つ以上のアパーチャと
の間の隙間を許容するように構成および配列される。さらなる実施形態において、吸引カ
テーテルは、吸引カテーテルの長さに沿って湾曲を含む。   
【００４５】
本開示に従う組織から流体を除去するために真空源と併用するシステムの少なくとも１
つの実施形態において、吸引カテーテルは、チューブ内に画定され、チューブの長さに沿
って位置付けられる少なくとも１つの送達チャネルをさらに含み、１つ以上のアパーチャ
のうちの少なくとも１つは、少なくとも１つの送達チャネルと連通する。別の実施形態に
おいて、少なくとも１つの送達カテーテルは、標的部位への送達のために、少なくとも１
つの送達チャネルと連通する１つ以上のアパーチャのうちの少なくとも１つを通じて、送
達チャネルの近位端に存在する送達源から物質を送達するように動作可能である。さらに
別の実施形態において、物質は、気体、液体、および微粒子から成る群からの少なくとも
１つの物質を含む。
【００４６】
本開示に従う組織から流体を除去するために真空源と併用するシステムの少なくとも１
つの実施形態において、物質は、抗生物質、細胞分裂阻害剤、硬化剤、細胞傷害性薬物、
免疫調節剤、およびクリスタロイドグルココルチコイドから成る群からの少なくとも１つ
の物質を含む。別の実施形態において、真空ポートは、さらに送達源との動作接続が可能
であり、吸引チャネルは、物質を含有する送達源が真空ポートに動作可能に取り付けられ
た際、物質を送達するように構成され、物質は、吸引チャネルを通じ、かつ少なくとも１
つの吸引チャネルと連通する１つ以上のアパーチャのうちの少なくとも１つを通じて、送
達源から標的部位へ送達される。さらに別の実施形態において、真空源はシリンジを含む
。
【００４７】
本開示に従う吸引カテーテルを使用して組織から流体を除去するための方法の少なくと
も１つの実施形態において、該方法は、システムを提供するステップであって、近位端、
遠位端、ならびに近位端と遠位端との間に延在する第１管腔を含む係合カテーテルと、吸
引カテーテルであって、細長いチューブであって、近位端、遠位端、チューブの長さに沿
って周方向に位置付けられる外壁、ならびにチューブ内の管腔を画定するチューブの長さ
に沿って周方向に位置付けられる内壁を含み、内壁は、チューブの長さに沿って第１チャ
ネルを形成する細長いチューブと、チューブに沿って画定される１つ以上のアパーチャで
あって、１つ以上のアパーチャは、チューブの外壁からチューブの内壁へと延在し、１つ
以上のアパーチャは、チューブの遠位端またはその近傍に存在し、１つ以上のアパーチャ
のうちの少なくとも１つは、第１チャネルと連通するアパーチャと、チューブの近位端と
連通する第１ポートであって、第１チャネルに動作可能に接続され、第１真空源との動作
接続が可能である第１ポートと、を含み、チャネルは、体内の間隙内に存在する流体を第
１チャネルと連通する１つ以上のアパーチャに進入させ、第１真空源が第１ポートに動作
可能に取り付けられた際、第１チャネルを介して除去させるように構成される吸引カテー
テルと、を含み、吸引カテーテルは、係合カテーテルの第１管腔に挿入できるように構成
される、ステップと、係合カテーテルの遠位端が組織内の間隙を囲む組織壁またはその近
傍に位置付けられるように、係合カテーテルを体内に挿入するステップと、係合カテーテ
ルの第１管腔に吸引カテーテルを挿入するステップであって、吸引カテーテルは、吸引カ
テーテルの遠位端が組織壁によって囲まれる間隙内に存在し、該間隙内に存在する流体と
接触するように、組織壁を通じて係合カテーテルの遠位端を出るステップと、を含む。別
の実施形態において、該方法は、該間隙内に存在する流体の少なくとも一部分が、第１チ
ャネルと連通する１つ以上のアパーチャに進入し、第１チャネルを介して除去されるよう
に、第１真空源を第１ポートに動作可能に接続するステップをさらに含む。さらに別の実
施形態において、少なくとも１つの凹溝が、チューブの長さの少なくとも一部に沿って延
在する外壁上で画定される。
【００４８】
本開示に従う吸引カテーテルを使用して組織から流体を除去するための方法の少なくと
も１つの実施形態において、チューブに沿って画定される１つ以上のアパーチャは、少な
くとも１つの凹溝に沿って画定される。別の実施形態において、少なくとも１つの凹溝は
、チューブの長さの少なくとも一部に沿って延在する１つ以上の隆起を画定し、該隆起は
、組織と１つ以上のアパーチャとの間の隙間を許容するように構成および配列される。さ
らに別の実施形態において、組織壁は心臓の右心耳である。さらなる実施形態において、
組織壁は、心臓の臓側心膜である。
【００４９】
本開示に従う吸引カテーテルを使用して組織から流体を除去するための方法の少なくと
も１つの実施形態において、第１ポートは、さらに送達源との動作接続が可能であり、第
１チャネルは、物質を含有する送達源が第１ポートに動作可能に取り付けられた際、物質
を送達するように構成される。別の実施形態において、該方法は、送達源内に存在する物
質の少なくとも一部分が、第１チャネルを通じ、かつ第１チャネルと連通する１つ以上の
アパーチャのうちの少なくとも１つを通じて、送達源から標的部位へ送達されるように、
物質を含有する送達源を第１ポートに動作可能に接続するステップをさらに含む。さらに
別の実施形態において、物質は、抗生物質、細胞分裂阻害剤、硬化剤、細胞傷害性薬物、
免疫調節剤、およびクリスタロイドグルココルチコイドから成る群からの少なくとも１つ
の物質を含む。さらなる実施形態において、該方法は、該間隙内に存在する物質の少なく
とも一部分が、第１チャネルと連通する１つ以上のアパーチャに進入し、第１チャネルを
介して除去されるように、第１真空源を第１ポートに動作可能に接続するステップをさら
に含む。
【００５０】
本開示に従う吸引カテーテルを使用して組織から流体を除去するための方法の少なくと
も１つの実施形態において、吸引カテーテルは、チューブ内でその長さに沿って位置付け
られる第２チャネルを画定する第２管腔をさらに含み、１つ以上の送達アパーチャがチュ
ーブに沿って画定され、１つ以上の送達アパーチャは、チューブの外壁からチューブの第
２管腔へと延在し、チューブの遠位端またはその近傍に存在する。別の実施形態において
、第２ポートが、チューブの近位端またはその近傍で連通し、第２ポートは第２チャネル
に動作可能に接続され、第２ポートはさらに送達源との動作接続が可能であり、第２チャ
ネルは、物質を含有する送達源が第２ポートに動作可能に取り付けられた際、物質を送達
するように構成される。さらに別の実施形態において、該方法は、送達源内に存在する物
質の少なくとも一部分が、第２チャネルを通じ、かつ第２チャネルと連通する１つ以上の
送達アパーチャのうちの少なくとも１つを通じて、送達源から標的部位へ送達されるよう
に、物質を含有する送達源を第２ポートに動作可能に接続するステップをさらに含む。
【００５１】
本開示に従う吸引カテーテルを使用して組織から流体を除去するための方法の少なくと
も１つの実施形態において、該方法は、システムを提供するステップであって、近位端、
遠位端、ならびに近位端と遠位端との間に延在する第１管腔を含む係合カテーテルと、近
位端、遠位端、ならびに近位端と遠位端との間に延在する中空円筒を含む穿刺カテーテル
であって、送達カテーテルの遠位端に針を有し、中空円筒が係合カテーテルの第１管腔に
挿入できるように構成される穿刺カテーテルと、吸引カテーテルであって、細長いチュー
ブであって、近位端、遠位端、チューブの長さに沿って周方向に位置付けられる外壁、な
らびにチューブ内の管腔を画定するチューブの長さに沿って周方向に位置付けられる内壁
を含み、内壁は、チューブの長さに沿って第１チャネルを形成する細長いチューブと、チ
ューブに沿って画定される１つ以上のアパーチャであって、１つ以上のアパーチャは、チ
ューブの外壁からチューブの内壁へと延在し、１つ以上のアパーチャは、チューブの遠位
端またはその近傍に存在し、１つ以上のアパーチャのうちの少なくとも１つは、第１チャ
ネルと連通するアパーチャと、チューブの近位端と連通する第１ポートであって、第１チ
ャネルに動作可能に接続され、第１真空源との動作接続が可能である第１ポートと、を含
み、チャネルは、体内の間隙内に存在する流体を第１チャネルと連通する１つ以上のアパ
ーチャに進入させ、第１真空源が第１ポートに動作可能に取り付けられた際、第１チャネ
ルを介して除去させるように構成される吸引カテーテルと、を含み、吸引カテーテルは、
係合カテーテルの第１管腔に挿入できるように構成される、ステップと、係合カテーテル
の遠位端が組織内の間隙を囲む組織壁またはその近傍に位置付けられるように、係合カテ
ーテルを体内に挿入するステップと、穿刺カテーテルを係合カテーテルの第１管腔に挿入
するステップであって、穿刺カテーテルは、係合カテーテルの遠位端を出て、穿刺カテー
テルの針で組織壁を穿刺するステップと、穿刺カテーテルを係合カテーテルから除去する
ステップと、係合カテーテルの第１管腔に吸引カテーテルを挿入するステップであって、
吸引カテーテルは、吸引カテーテルの遠位端が組織壁によって囲まれる間隙内に存在し、
該間隙内に存在する流体と接触するように、組織壁を通じて係合カテーテルの遠位端を出
るステップと、該間隙内に存在する流体の少なくとも一部分が、第１チャネルと連通する
１つ以上のアパーチャに進入し、第１チャネルを介して除去されるように、第１真空源を
第１ポートに動作可能に接続するステップと、を含む。
【００５２】
本開示に従う組織に係合するための方法の少なくとも１つの実施形態において、該方法
は、係合カテーテルから送達カテーテルを除去するステップをさらに含む。別の実施形態
において、該方法は、吸引カテーテルを係合カテーテルの第２管腔に挿入するステップを
さらに含み、吸引カテーテルは、吸引カテーテルの遠位端が少なくとも部分的に穿刺され
た組織によって囲まれる間隙内に存在し、該間隙内に存在する流体と接触するように、穿
刺された組織を通って係合カテーテルの遠位端を出る。さらに別の実施形態において、吸
引カテーテルは、細長い吸引チューブであって、近位端、遠位端、吸引チューブの長さに
沿って周方向に位置付けられる外壁、ならびに吸引チューブ内の管腔を画定する吸引チュ
ーブの長さに沿って周方向に位置付けられる内壁を含み、内壁は、吸引チューブの長さに
沿って第１チャネルを形成する細長い吸引チューブと、チューブに沿って画定される１つ
以上のアパーチャであって、１つ以上のアパーチャは、チューブの外壁から吸引チューブ
の内壁へと延在し、１つ以上のアパーチャは、吸引チューブの遠位端またはその近傍に存
在し、１つ以上のアパーチャのうちの少なくとも１つは、第１チャネルと連通するアパー
チャと、吸引チューブの近位端と連通する吸引カテーテルポートであって、第１チャネル
に動作可能に接続され、吸引カテーテルの真空源との動作接続が可能である吸引カテーテ
ルポートと、を含み、第１チャネルは、体内の間隙内に存在する流体を第１チャネルと連
通する１つ以上のアパーチャに進入させ、吸引カテーテルの真空源が吸引カテーテルポー
トに動作可能に取り付けられた際、第１チャネルを介して除去させるように構成され、吸
引カテーテルは、係合カテーテルの第２管腔に挿入できるように構成される。さらなる実
施形態において、該方法は、該間隙内に存在する流体の少なくとも一部分が第１チャネル
と連通する１つ以上のアパーチャに進入し、第１チャネルを介して除去されるように、吸
引カテーテルの真空源を吸引カテーテルポートに動作可能に接続するステップをさらに含
む。
【図面の簡単な説明】
【００５３】
【図１Ａ】本明細書に開示される、係合カテーテルの一実施形態および送達カテーテルの一実施形態を示す。
【図１Ｂ】本明細書に開示される、係合カテーテルの別の一実施形態および送達カテーテルの別の一実施形態を使用する、経皮的血管内心膜送達を示す。
【図２Ａ】図１Ａに示される係合および送達カテーテルを使用し、右心房壁または心耳を通じて心膜腔にアクセスするための経皮的血管内手技を示す。
【図２Ｂ】図２Ａに示される係合カテーテルの実施形態を示す。
【図２Ｃ】図２Ａおよび２Ｂに示される係合カテーテルの実施形態の遠位端の別の図を示す。
【図３Ａ】本明細書に開示される、カテーテルの一実施形態の除去を示す。
【図３Ｂ】本明細書に開示される、一実施形態に従う、穿刺の再密閉を示す。
【図４Ａ−４Ｃ】本明細書に開示される、一実施形態を使用する、心房壁内の穴の閉合を示す。
【図４Ｄ】本明細書に開示される別の実施形態を使用した心臓組織の穴の別の閉合を示す。
【図４Ｅ】本明細書に開示される別の実施形態を使用した心臓組織の穴のさらに別の閉合を示す。
【図４Ｆ】本明細書に開示される別の実施形態を使用した心臓組織の穴のまた別の閉合を示す。
【図５Ａ−５Ｃ】図５Ａは本明細書に開示される係合カテーテルの一実施形態を示す。図５Ｂは図５Ａに示される係合カテーテルの近位端の断面図を示す。図５Ｃは図５Ａに示される係合カテーテルの遠位端の断面図を示す。
【図５Ｄ】心臓の内側から心臓壁に接近する、図５Ａに示される係合カテーテルを示す。
【図６Ａ−６Ｃ】図６Ａは本明細書に開示される、送達カテーテルの一実施形態を示す。図６Ｂは図６Ａに示される針の拡大図を示す。図６Ｃは図６Ａおよび６Ｂに示される針の断面図を示す。
【図７】本明細書に開示される送達カテーテルの一実施形態を示す。
【図８】操縦チャネル内の操縦ワイヤシステムの一実施形態を示す。
【図９Ａ】本明細書に開示される操縦ワイヤシステムの別の実施形態を示し、本実施形態は一箇所で屈折される。
【図９Ｂ】図９Ａに示される操縦ワイヤシステムであって、２箇所で屈折される操縦ワイヤシステムを示す。
【図９Ｃ】その原位置にある、図９Ａおよび９Ｂに示される操縦ワイヤシステムを示す。
【図１０】操縦ワイヤシステムの別の実施形態の一部分を示す。
【図１１】本明細書に開示される送達カテーテルの別の実施形態の断面図を示す。
【図１２Ａ】本明細書に開示される、心臓組織の穴を閉合するためのシステムの一実施形態を示す。
【図１２Ｂ】本明細書に開示される、心臓組織の穴を閉合するためのシステムの別の実施形態を示す。
【図１２Ｃ】本明細書に開示される、心臓組織の穴を閉合するためのシステムの別の実施形態を示す。
【図１３】本明細書に開示される、心臓組織の穴を閉合するためのシステムの別の実施形態を示す。
【図１４】本明細書に開示される、心臓組織の穴を閉合するためのシステムの別の実施形態を示す。
【図１５Ａ】本明細書に開示される、心臓組織の穴を閉合するためのシステムの別の実施形態を示す。
【図１５Ｂ】心臓組織に接近する図１５Ａの実施形態を示す。
【図１５Ｃ】心臓組織の中で展開される、図１５Ａ〜１５Ｃの実施形態を示す。
【図１６Ａ】本明細書に開示される、実質的にスリーブ内に位置付けられるスカートを有する、組織に係合するための器具の一部分の実施形態を示す。
【図１６Ｂ】本明細書に開示される、組織に係合するための器具の一部分の別の実施形態を示す。
【図１６Ｃ】本明細書に開示される、実質的にスリーブの外に位置付けられるスカートを有する、組織に係合するための器具の一部分の実施形態を示す。
【図１７Ａ】本明細書に開示される、組織に係合している、組織に係合するための器具の一部分の実施形態を示す。
【図１７Ｂ】本明細書に開示される、組織に係合している拡張したスカートを有する、組織に係合するための器具の一部分の実施形態を示す。
【図１８Ａ】本明細書に開示される、スリーブ内に存在する仕舞われたスカート有する、組織に係合するための器具の一部分の実施形態を示す。
【図１８Ｂ】本明細書に開示される、拡張したスカートを有する、組織に係合するための器具の一部分の実施形態を示す。
【図１９】本明細書に開示される、組織に係合するためのシステムの実施形態を示す。
【図２０Ａ】本明細書に開示される、中を通って位置付けられるリードを有する、組織に係合するための器具の一部分の実施形態を示す。
【図２０Ｂ】本明細書に開示される針を示す、組織に係合するための器具の一部分の実施形態を示す。
【図２０Ｃ】中を通って位置付けられるリードを有する図２０Ｂの実施形態を示す。
【図２１Ａ】本明細書に開示される、組織から流体を除去するための器具の一部分の実施形態を示す。
【図２１Ｂ】本明細書に開示される、組織から流体を除去するため溝を含む器具の一部分の実施形態を示す。
【図２２】本明細書に開示される、心臓内に挿入される、組織から流体を除去するための器具の一部分の実施形態を示す。
【発明を実施するための形態】
【００５４】
開示される実施形態に関する以下の発明を実施するための形態は、本質的に単なる例示
であり、添付の請求項の範囲を限定するものでないことが当業者には理解されるであろう
。
【００５５】
開示される実施形態は、心臓の内側から心臓の種々の組織にアクセスするために有用な
装置、システム、および方法を含む。例えば、種々の実施形態は、心房壁または心耳の壁
を通じた心膜腔への経皮的血管内アクセスを提供する。少なくとも一部の実施形態におい
て、心臓壁を心膜嚢から吸い込み、引き込んで、心臓と心膜嚢との間の心膜腔を増大させ
ることにより、心膜腔へのアクセスを容易にする。
【００５６】
比較的堅い心膜嚢とは異なり、心房壁および心耳はむしろ柔軟で変形可能である。その
ため、心房壁または心耳の吸引は、心膜の吸引と比較して、心膜からの心臓組織の著しく
大きな隙間を提供することができる。さらに、血管内領域（心臓の内側）からのナビゲー
ションは、胸腔内アクセス（心臓の外側）よりも正確に重要な心臓構造の位置を提供する
。
【００５７】
心膜腔へのアクセスは、心膜流体内の診断マーカの同定、心膜穿刺術、および血管形成
能、筋原性、および抗不整脈能を備える治療因子の投与に使用することができる。さらに
、以下でさらに詳しく説明されるように、心外膜ペーシングリードを心膜腔を介して送達
し、アブレーションカテーテルを心膜腔から心外膜組織上で使用することができる。
【００５８】
図１Ａに示されるカテーテルシステムの実施形態では、カテーテルシステム１０は、係
合カテーテル２０、送達カテーテル３０、および針４０を含む。係合カテーテル２０、送
達カテーテル３０、および針４０のそれぞれが近位端および遠位端を有するが、図１Ａは
遠位端のみを示す。係合カテーテル２０は、送達カテーテル３０が挿入された管腔を有し
、送達カテーテル３０は、針４０が挿入された管腔を有する。送達カテーテル３０は、多
数の開口５０を有し、カテーテルの管腔からカテーテルの遠位端に近接する心臓組織に流
体を伝送するために使用できる。
【００５９】
図２Ａ、２Ｂ、２Ｃにおいてさらに詳しく示されるように、係合カテーテル２０は、心
臓内の標的組織６５の吸引に使用される真空チャネル６０、および標的組織６５に対する
物質の注入に使用される注入チャネル７０を含み、物質は、例えば、生分解性または非生
分解性の接着剤を含む。図２Ｂおよび２Ｃに示されるように、注入チャネル７０はリング
型であり、注入された物質を標的組織上に比較的均一に分散する傾向にあるが、その他の
形状の注入チャネルが好適な場合もある。シリンジ８０は、注入チャネル７０に取り付け
られ、適切な物質を注入チャネル７０に送達し、シリンジ９０は、係合カテーテル２０の
近位端において、真空ポート（図示せず）を通じて真空チャネル６０に取り付けられ、真
空チャネル６０を通じて適切な吸引を提供する。係合カテーテル２０の遠位端において、
吸引ポート９５は、真空チャネル６０に取り付けられ、標的組織６５と接触して、吸引ポ
ート９５が標的組織６５を囲むことにより、標的組織６５が、吸引ポート９５の周囲内に
包含されるようにする。シリンジ９０は、図２Ｂにおいて、係合カテーテル２０の吸引を
提供する真空源として示されているが、その他の種類の真空源、例えば、特定の吸引圧力
を提供する制御真空システムを使用してもよい。同様に、シリンジ８０は、図２Ｂに示さ
れる実施形態において、外部流体源として機能するが、その他の外部流体源を使用しても
よい。
【００６０】
本明細書に開示される種々の実施形態を使用するための進入経路は、頸静脈または大腿
静脈を通じて、それぞれ上大静脈または下大静脈、右心房壁または心耳を（経皮的に）通
り、（穿刺を通じて）心膜嚢に至る。
【００６１】
ここで図１Ｂを参照すると、係合カテーテル１００は、標準的なアプローチによって頸
静脈または大腿静脈に配置される。４または５Ｆｒ．であり得るカテーテルは、蛍光透視
または心エコー誘導下で、右心耳１１０に位置付けられる。吸引を開始し、心臓を囲む心
膜嚢１２０から心耳１１０の一部分を吸い込む。ここで説明されるように、心臓組織の吸
い込みは、係合カテーテル１００を通じて血液を引き戻すことができない場合、吸引圧力
を測定する際、吸引圧力が徐々に増加する場合に明らかである。次に、送達カテーテル１
３０を係合カテーテル１００の管腔を通じて挿入する。図１Ａおよび２Ａに示されるよう
に、針４０等の針を用いて、吸い込まれた心耳１１０に小穿孔を形成することができる。
次に、送達カテーテル１３０を通じてガイドワイヤ（図示せず）を心膜腔に進め、心耳を
通る進入点１２５を固定し、送達カテーテル１３０または別のカテーテルのさらなる挿入
を誘導することができる。蛍光透視または心エコーを使用し、心膜腔内のカテーテルの位
置を確認することができる。代替として、圧力先端針が圧力を感知し、心房（約１０ｍｍ
Ｈｇ）から心膜腔（約２ｍｍＨｇ）までの圧力変化を測定することができる。これは、特
に経中隔アクセスに有用であり、以下でさらに詳述されるように、動脈構造（例えば、大
動脈）の穿刺を診断し、接着剤で密閉することができる。
【００６２】
心房壁または心耳を吸い込むことにより、心臓壁または心耳を心膜嚢から引き込み、追
加の心膜腔を形成することができるが、送達カテーテル１３０等のカテーテルを通じて、
ＣＯ２ガスを心膜腔に送達し、心膜嚢と心臓表面との間に追加腔を形成することができる
。
【００６３】
ここで図３Ａを参照すると、図１Ｂに示されるカテーテルシステムは、進入経路を通じ
て引き戻すことによって回収される。しかし、心臓内の標的組織（例えば、図３Ａに示さ
れるような右心耳）の穿刺は、カテーテルを引き抜く際に密閉することができ、心膜腔へ
の出血を防ぐ。カテーテルの回収は、（１）注入チャネル７０を介して組織接着剤または
ポリマ７５を放出し、図３Ｂに示されるように、穿刺穴を密閉する、（２）内部クリップ
または機械的ステッチを解放し、本明細書で論じられるように、空洞または心臓の内側か
ら穴を閉合する、または（３）壁の両側から穴に接近するサンドイッチ型の機械装置を用
いて心臓を機械的に閉合する（図４Ａ、４Ｂ、および４Ｃを参照）方法のうちの１つにお
いて、組織の密閉と組み合わせることができる。つまり、例えば、生分解性接着材料（例
えば、フィブリン接着剤またはシアノメタクリル酸）、磁気システム、または傘型ニチノ
ールステントを使用することによって、閉合を行うことができる。心房内の穴を閉合する
一例を図３Ｂに示す。係合カテーテル２０は、吸引ポート６０を通じた吸引を使用して、
標的組織９５に取り付けられる。組織接着剤７５は、注入チャネル７０を通じて注入され
、標的組織９５における刺創を被覆および密閉する。次に、係合カテーテル２０を引き抜
き、心房壁または心耳に取り付けられた組織接着剤７５のプラグを残す。
【００６４】
心房壁または心耳における刺創を密閉するための他の例を図４Ａ〜４Ｆに示す。ここで
図４Ａ〜４Ｃを参照すると、外被膜６１０および内被膜６２０を有するサンドイッチ型閉
合部材は、心房壁６３０の標的組織に取り付けられる、係合カテーテル６００の管腔を通
じて挿入される。外被膜および内被膜６１０、６２０のそれぞれは、傘と同様に、カテー
テルを通じてその折り畳み構成で挿入し、カテーテルの外側に出た時点で拡張構成に拡張
することができる。図４Ａに示されるように、刺創を通って心膜腔にすでに送達された外
被膜６１０は、心房壁の外側上で（その拡張構成に）展開され、標的組織における刺創を
密閉する。内被膜６２０は、４Ａおよび４Ｂに示されるように、内被膜６２０が（例えば
ねじ状機構により）可逆的に取り付けられている細長い送達ワイヤ６１５により、係合カ
テーテル６００を通じて（その折り畳み構成で）送達される。内被膜６２０が標的組織に
おいて、心房壁６３０の内部上の適所に配置されると、内被膜６２０を展開し、標的組織
における刺創の密閉を助ける（図４Ｃを参照）。
【００６５】
内被膜６２０および外被膜６１０は、ニチノール等の形状記憶合金を含む、多くの材料
から作製することができる。そのような実施形態は、カテーテル内では折り畳み構成で存
在し、体内で展開されると拡張構成に拡張することができる。構成におけるそのような変
化は、例えば温度の変化により生じ得る。内被膜および外被膜の他の実施形態は、他の生
体適合性材料から作製して機械的に展開することができる。
【００６６】
内被膜６２０の展開後、係合カテーテル６００は、標的組織上でそのグリップを解放し
、引き抜いて、図４Ｃに示されるように、刺創を密閉するためのサンドイッチ型閉合を残
す。外被膜６１０および内被膜６２０は、生体適合性接着剤を使用して、適所に保持する
ことができる。同様に、外被膜６１０および内被膜６２０は、例えば、磁石を含む外被膜
６１０の内面（図示せず）、磁石を含む内被膜６２０の内面（図示せず）、または磁石を
含む外被膜６１０もしくは内被膜６２０の両方の内面等により、磁力を使用して適所に保
持することができる。
【００６７】
図４Ａ、４Ｂ、および４Ｃに示される実施形態において、閉合部材は外被膜６１０およ
び内被膜６２０を含む。しかし、少なくとも一部の他の実施形態では、閉合部材が２つの
被覆を有する必要はない。例えば、図４Ｄに示されるように、閉合部材６３２は１つのみ
の被覆６３４から作製される。被覆６３４は、第１面６３６および第２面６３８を有し、
第１面６３６は送達ワイヤ６４０の遠位端６４２に可逆的に取り付けられるように構成さ
れる。閉合部材６３２は、折り畳み構成から拡張構成へ移行することができる、ニチノー
ルを含む任意の好適な材料から作製され得る。
【００６８】
図４Ｅに示される実施形態において、閉合部材１５００は、送達カテーテル１５３０内
で外被膜１５１０および内被膜１５２０を含む。外被膜１５１０および内被膜１５２０は
、結合部１５４０において付着され、これは例えば機械的付着または磁気付着によって形
成することができる。磁気付着を有する実施形態において、外被膜および内被膜のそれぞ
れは、もう一方の強磁性構成要素に磁気的に係合することができる強磁性構成要素を有し
得る。
【００６９】
心房壁１５５０の穴１５５５を通って挿入後の送達カテーテル１５３０が示される。ロ
ッド１５６０を押すことにより、心房壁１５５０に接近するように送達カテーテル１５３
０を通じて閉合部材１５００を進めることができる。ロッド１５６０は、閉合部材１５０
０が適切に展開された後、ロッド１５６０が内被膜１５２０から取り外され得るように、
内被膜１５２０に可逆的に取り付けることができる。例えば、ロッド１５６０は、展開の
完了後、閉合部材１５００からロッド１５６０を回して容易に外すことができるようにね
じ状の先端を備える内被膜１５２０に係合してもよい。代替として、内被膜１５２０をロ
ッド１５６０に付着させずに、内被膜１５２０が送達カテーテル１５３０の内側に沿って
押され得るように、単にロッド１５６０を内被膜１５２０に係合してもよい。
【００７０】
閉合部材１５００は、外被膜１５１０が心房壁１５５０に隣接する送達カテーテル１５
３０の一部分に到達するまで、送達カテーテル１５３０を通って進められ、外被膜１５１
０は送達カテーテル１５３０から心膜腔にゆっくりと押される。次に、外被膜１５１０が
拡張し、心房壁１５５０の外表面に位置付けられる。外被膜１５１０が心房壁１５５０上
に適切に位置付けられると、結合部１５４０は穴１５５５内の心房壁１５５０とほぼ平行
になる。次に、送達カテーテル１５３０をゆっくりと引き抜き、結合部１５４０の周りで
穴１５５５をわずかに閉合させる。送達カテーテル１５３０の引き抜きを継続すると、内
被膜１５２０が送達カテーテル１５３０から展開し、これによりその拡張形態に開く。そ
の結果、心房壁１５５０が内被膜１５２０と外被膜１５１０との間で締め付けられ、穴１
５５５を閉合し、心臓からの血液の漏出を防ぐ。
【００７１】
図４Ｆは、外被膜１６１０と内被膜１６２０との間で心房壁１６００を挟むことによる
、心房壁１６００の穴（図示せず）の閉合を示す。心房壁１６００の外表面上で展開され
た外被膜１６１０が示され、一方送達カテーテル１６３０は心房壁１６００の内表面上に
展開される。示されるように、ロッド１６４０は内被膜１６２０と係合し、送達カテーテ
ル１６５０は引き抜かれている途中であり、これにより内被膜１６２０が完全に展開され
る。次に、ロッド１６４０が送達カテーテル１６３０を通って引き抜かれる。本明細書に
おいてより完全に説明されるように、係合カテーテル（図示せず）が送達カテーテル１６
５０を囲んでもよい。
【００７２】
心臓組織の刺創を密閉するための他の例を、図１２〜１５に示す。ここで図１２Ａを参
照すると、第１端６５２、第２端６５４、および第１端６５２から第２端６５４へと延在
する穴６５６を有するプラグ６５０が示される。プラグ６５０は、カゼイン、ポリウレタ
ン、シリコーン、およびポリテトラフルオロエチレンを含む任意の好適な材料から作製す
ることができる。ワイヤ６６０は、プラグ６５０の穴６５６に摺動可能に挿入される。ワ
イヤ６６０は、心臓組織の穴（図示せず）を通って延在する限り、例えばガイドワイヤま
たはペーシングリード等であり得る。図１２Ａに示されるように、第１端６５２は硫酸バ
リウム等の放射線不透過性材料で被覆され、したがって放射線不透過性である。これによ
り、医師は、Ｘ線画像法を使用して体内のプラグの配置を見ることができる。例えば、医
師は手順中にプラグの位置を確認することができ、患者に対するより安全でより効果的な
手順が可能になる。
【００７３】
図１２Ａに示されるように、プラグ６５０の第１端６５２は、プラグ６５０の第２端６
５４よりも小さな直径を有する。実際、図１２Ｂに示されるプラグ６８０、および図１３
および１４に示されるプラグ６８４は、それらのそれぞれの第２端よりも小さな直径の第
１端を有する。しかし、プラグのすべての実施形態が、第２端よりも小さい直径の第１端
を有するわけではない。例えば、図１２Ｃに示されるプラグ６８２は、第２端の直径より
も小さくはない直径を持つ第１端を有する。両方の種類のプラグを使用して、心臓組織の
穴を閉合することができる。
【００７４】
再び図１２Ａを参照すると、細長いシャフト６７０は、近位端（図示せず）、遠位端６
７２、および近位端から遠位端６７２へと延在する管腔６７４を有する。図１２Ａにはカ
テーテルは示されていないが、プラグ６５０、ワイヤ６６０、およびシャフト６７０は、
本明細書に開示される係合カテーテルの実施形態等のカテーテルの管腔（図１４を参照）
に挿入されるように構成される。また、プラグ６５０およびシャフト６７０は、ワイヤ６
６０上で挿入されるように構成されており、プラグ６５０の管腔６５６およびシャフト６
７０の管腔６７４のそれぞれはワイヤ６６０の周囲よりもわずかに大きいため、ワイヤ６
６０に沿って摺動することができる。
【００７５】
図１３および１４に示されるように、プラグ６８４は、シャフト６７２を使用して、細
長いチューブ６７６内のワイヤ６７４に沿って標的心臓組織６７８の穴およびその中へと
押される。細長いチューブ６７６の遠位端６７７は、心臓組織６７８に取り付けられて示
されるが、遠位端６７７が心臓組織６７８に隣接している限り、遠位端６７７が心臓組織
６７８に取り付けられる必要はない。プラグ６８４穴に挿入されると、ワイヤ６７４は、
プラグ６８４および心臓の内部（図示せず）の穴から引き抜くことができ、シャフト６７
２が細長いチューブ６７６から引き抜かれる。一部の実施形態において、プラグは自己密
閉型であり、つまりプラグの穴はワイヤが引き抜かれた後に閉合する。例えばプラグは、
流体を吸収した後に膨張するカゼインまたはアメロイド等の乾燥タンパク質基質から作製
することができる。シャフト６７２が引き抜かれた後、細長いチューブ６７６を心臓から
引き抜くことができる。
【００７６】
一部の実施形態において、ワイヤはプラグの穴から引き抜かれないことに留意されたい
。例えば、ワイヤがペーシングリードである場合、ワイヤをプラグ内に残して、ＣＲＴ装
置に動作可能に接続することができる。
【００７７】
ここで図１２Ｂを参照すると、プラグ６８４と類似したプラグ６８０が示される。しか
し、プラグ６８０は、螺旋またはネジ状の形状のプラグ６８０を囲む隆起６８３を有する
外表面６８１を含む。隆起６８３は、プラグ６８０の標的組織の穴（図示せず）への固定
を助ける。プラグの他の実施形態は、例えば円形の、プラグを囲む多数の隆起を有する外
表面を含んでもよい。
【００７８】
図１５Ａ〜１５Ｃは、組織の穴を閉合するための閉合部材のまた別の実施形態を示す。
カテーテル１７０２内の、頭部１７０５、ならびに複数のアーム１７１０、１７２０、１
７３０、および１７４０を含む蜘蛛型クリップ１７００が示される。アーム１７１０、１
７２０、１７３０、および１７４０のうちのそれぞれはその近位端で頭部１７０５に取り
付けられる。蜘蛛型クリップ１７００は４本のアームを有するが、蜘蛛型クリップの他の
実施形態は、４本未満またはそれを超えるアームを含む。例えば、蜘蛛型クリップの一部
の実施形態は、３本のアームを有し、一方他の実施形態は、５本以上のアームを有する。
【００７９】
再び図１５Ａ〜１５Ｃを参照すると、アーム１７１０、１７２０、１７３０、および１
７４０は、形状記憶合金（例えば、ニチノール）またはステンレス鋼等の、２つの形状の
間を移行することができる任意の可撓性の生体適合性金属から作製することができる。蜘
蛛型クリップ１７００は、そのアーム１７１０、１７２０、１７３０、および１７４０の
遠位端が離間する開位置（図１５Ａを参照）と、アーム１７１０、１７２０、１７３０、
よび１７４０の遠位端が集合する閉位置（図１５Ｃを参照）との間を移行することができ
る。形状記憶合金から作製される実施形態について、クリップは、クリップが心臓組織の
中に配置された際等で、該金属がほぼ体温に温められると、開位置から閉位置に移行する
ように構成され得る。ステンレス鋼等の他の種類の金属から作製される実施形態について
、クリップはその閉位置に構成されるが、クリップの頭部に圧力が加えられた際、開位置
に移行されてもよい。そのような圧力がアームを外側に突き出させることにより、アーム
の遠位端が離れる。
【００８０】
このようにして、蜘蛛型クリップ１７００を使用して心房壁を通る穴等の組織の創傷ま
たは穴を密閉することができる。例えば、図１５Ｂは、係合カテーテル１７６０内でロッ
ド１７５０により係合される蜘蛛型クリップ１７００を示す。示されるように、係合カテ
ーテル１７６０は鐘形の吸引ポート１７６５を有し、これは本明細書で開示されるように
、心臓組織１７７０を吸い込んでいる。心臓組織１７７０は、そこを通る穴１７７５を含
み、吸引ポート１７６５は、穴１７７５を蜘蛛型クリップ１７００に向けるように穴１７
７５上に適合している。
【００８１】
ロッド１７５０は、係合カテーテル１７６０を通って蜘蛛型クリップ１７００を押し、
蜘蛛型クリップ１７００を心臓組織１７７０の方へ進める。ロッド１７５０は、単に頭部
１７０５を押すことにより頭部１７０５に係合するが、他の実施形態において、ねじ式の
システムを使用して頭部にロッドを可逆的に取り付けてもよい。そのような実施形態にお
いて、単に頭部にロッドをねじ込むか、または頭部からロッドを回して外すことにより、
それぞれ、ロッドを頭部に取り付けおよび頭部から取り外すことができる。
【００８２】
少なくとも一部の実施形態において、蜘蛛型クリップは、ロッドによりクリップの頭部
に加えられる圧力によって、係合カテーテルを通って進む間、その開位置に保持される。
この圧力は、前進中の係合カテーテルに対する脚の付勢により対向され得る。
【００８３】
図１５Ｃを参照すると、蜘蛛型クリップ１７００は心臓組織１７７０に接近し、最終的
にはアーム１７１０、１７２０、１７３０、および１７４０のそれぞれの遠位端が心臓組
織１６７０に接触するように心臓組織１７７０に係合する。ロッド１７５０が蜘蛛型クリ
ップ１７００から係脱し、蜘蛛型クリップ１７００がその閉位置に移行することにより、
アーム１７１０、１７２０、１７３０、および１７４０の遠位端を引き寄せる。アームの
遠位端が引き寄せられるにつれて、遠位端が心臓組織１７７０の一部分を把持することに
より、アーム１７１０、１７２０、１７３０、および１７４０の間の組織がつぶれて穴１
７７５が効果的に閉合されるようになる。
【００８４】
次に、ロッド１７５０が引き抜かれ、係合カテーテル１７６０が心臓組織１７７０から
係脱する。心臓組織１７７０の収縮が穴１７７５の閉合を保持し、係合カテーテル１７６
０が除去された後、穴１７７５を通って血液が漏出することはない。比較的短期間の後、
体の自然な治癒プロセスにより、穴１７７５は永久的に閉合される。蜘蛛型クリップ１７
００は、無期限に体内に残存してもよい。
【００８５】
図１６Ａ、１６Ｂ、および１６Ｃは、本明細書に開示される、組織に係合するための器
具の一部分の実施形態を示す。図１６Ａに示されるように、スリーブ１８００が、係合カ
テーテル１８１０の少なくとも一部分の周囲に存在する。スリーブ１８００は、本明細書
に記載されるように、中を通る管腔を有し、係合カテーテル１８１０の外側の周囲に示さ
れ、係合カテーテル１８１０に摺動係合する、硬質または可撓性のチューブを含み得る。
少なくとも図１６Ａに示される実施形態において、係合カテーテル１８１０の遠位端１８
２０はスカート１８３０を含み、図１６Ａではスリーブ１８００内に格納されて示されて
いる。送達カテーテル１８４０は、示されるように係合カテーテル１８１０内に存在し、
生成物（気体、液体、および／または微粒子）の標的部位への送達を促進することができ
る。本実施形態では、送達カテーテル１８４０は少なくとも部分的に係合カテーテル１８
１０の管腔内に存在し、係合カテーテルは少なくとも部分的にスリーブ１８００の管腔内
に配置される。
【００８６】
ここで図１６Ｂを参照すると、図１６Ａに示される器具または図１６Ａに示される実施
形態に類似した実施形態が示され、スリーブ１８００は係合カテーテル１８１０の遠位端
から引き戻されている。図１６Ｂに示されるように、スリーブ１８００が（矢印の方向に
）引き戻されるとスカート１８３０が露出し、スリーブ１８００がスカート１８３０の周
囲に存在しなくなると、スカート１８３０は任意選択的にフラスト円錐形（「鐘形」）ス
カート１８３０に拡張することができる。スカート１８３０は、図１６Ａおよび図１８Ａ
に示されるように、スリーブ１８００の管腔内に存在する時は可逆的に変形され（仕舞わ
れ）てもよく、これは本明細書でさらに詳細に記載される。不定形のフラスト円錐形構成
を含む、スカート１８３０のフラスト円錐形構成への多くの代替の構成が存在し得ること
が理解され得、本明細書でさらに詳細に記載されるように、近位位置よりも大きい遠位部
分（係合される組織に最も近接した）を有するスカート１８３０の構成が、組織のより大
きな表面積の吸引からの利益を得ることができることに留意されたい。
【００８７】
図１６Ｃは、拡張したスカート１８３０を有する、本明細書に記載される器具の実施形
態を示す。図１６Ｃに示されるように、スリーブ１８００は、スカート１８３０の拡張構
成が組織（図示せず）に係合するように示され得るように、（矢印の方向に）引き戻され
ている。
【００８８】
図１７Ａおよび１７Ｂは、本明細書に記載される、組織に係合するための器具の一部分
の代替の実施形態を示す。図１７Ａおよび１７Ｂはそれぞれ、スリーブ１８００、スカー
ト１８３０を有する係合カテーテル１８１０、および送達カテーテル１８４０を示す。各
図において、スカート１８３０は組織１８５０の表面に係合して示される。１７Ａおよび
１７Ｂに示される実施形態において、示されるようにスリーブ１８００、係合カテーテル
１８１０、および送達カテーテル１８４０の相対的な大きさは類似しているが、係合カテ
ーテル１８１０のスカート１８３０の相対的な大きさは明らかに異なる。図１７Ａに示さ
れる、組織に係合するための器具の一部分の例示的な実施形態は、係合カテーテル１８１
０と同一、あるいは実質的に類似した相対的な大きさのスカート１８３０を含み、つまり
、図１７Ａに示される係合カテーテル１８１０およびスカート１８３０の直径は、ほぼ同
一である。逆に、図１７Ｂに示される、組織に係合するための器具の一部分の例示的な実
施形態は、係合カテーテル１８１０より顕著に大きなスカート１８３０を含み、つまり、
図１７Ｂに示される係合カテーテル１８１０およびスカート１８３０の最も幅広な点にお
ける直径は、顕著に異なる。図１７Ｂに示されるように、スカート１８３０が係合カテー
テル１８１０から組織１８５０へと延在するにつれて、スカート１８３０の直径は増す。
したがって、図１７Ｂに示される実施形態のスカート１８３０は、図１７Ａに示されるス
カート１８３０の実施形態よりも大きな表面積の組織（１８６０と図示）に係合すること
ができる。スカート１８３０によってより大きな表面積の組織１８５０に係合する能力に
より、本明細書で詳述されるように真空が提供されると、組織１８５０のより良好な可逆
的係合が可能になる。この吸引の改善により、そのような器具の使用者は、そうでなけれ
ばスカート１８３０がより小さな表面の組織に係合する際に可能であるよりも効果的に組
織１８５０に係合することができる。
【００８９】
図１８Ａおよび１８Ｂは、組織に係合するための器具の一部分の実施形態の斜視図を示
す。図１８Ａは、係合カテーテル１８１０のスカート１８３０が実質的にスリーブ１８０
０内に位置付けられる実施形態を表す。図１８Ｂは、係合カテーテル１８１０のスカート
１８３０がスリーブ１８００外に位置付けられる実施形態を表す。したがって、スリーブ
１８００内のスカート１８３０の位置付けは図１６Ａおよび１８Ａの実施形態で見ること
ができ、スリーブ１８００外のスカート１８３０の位置付けは、図１６Ｃおよび１８Ｂの
実施形態で見ることができる。
【００９０】
図１８Ａに示されるように、係合カテーテル１８１０のスカート１８３０はスリーブ１
８００内に位置付けられ、それによってスカート１８３０の構成は、スカート１８３０が
スリーブ１８００内に適合し得るように仕舞われる。スリーブ１８００が図１８Ｂに示さ
れる矢印の方向に移動するにつれてスカート１８３０が露出するようになり、スリーブ１
８００の内壁によって提供される制約がないため、その構成は拡張を許される。
【００９１】
また、図１８Ａおよび１８Ｂに示される実施形態は、係合カテーテル１８１０の構成の
例示的な実施形態も示す。図１８Ｂに示されるように、係合カテーテル１８１０は係合カ
テーテル１８１０の遠位端（スカート１８３０の近位端）に存在する多数の（管腔を表す
）アパーチャを画定し、これには１つ以上の真空ポート１８７０（真空チューブの遠位端
またはその近傍のアパーチャを表す）、および送達ポート１８８０（送達チューブの遠位
端またはその近傍のアパーチャを表す）が含まれるが、それらに限定されない。本明細書
に記載されるように、１つ以上の真空チューブの近位端に位置する吸引ポートに真空源（
図示せず）を連結することができ、真空ポートでの真空の導入により、気体、流体、およ
び／または微粒子を１つ以上の真空ポート１８７０に導入することができる。気体、流体
、および／または微粒子は、送達アパーチャ１８８０から組織（図１８Ａまたは１８Ｂに
は図示せず）へ導入してもよい。
【００９２】
図１７Ａおよび１７Ｂの例示的な実施形態によって示されるように、組織に係合するた
めのそのような器具の使用者にとって、適切な吸引を獲得する能力は、少なくとも部分的
に組織１８５０またはその近傍におけるスカート１８３０および送達カテーテル１８４０
の相対的配置に依存する。図５Ｄに示される例示的な実施形態について本明細書で詳述さ
れるように、真空源が（図１８Ａおよび１８Ｂに示される）１つ以上の真空ポート１８７
０を通って吸引を提供しても、スカート１８３０が組織１８５０に効果的に係合しなけれ
ば、組織１８５０の領域における気体、流体、および／もしくは微粒子、ならびに／また
は送達カテーテル１８４０を介して組織１８５０の領域へ送達される気体、流体、および
／もしくは微粒子は、１つ以上の真空ポート１８７０によって吸い込まれ得る。スカート
１８３０が組織１８５０に効果的に係合しても、送達カテーテル１８４０が組織１８５０
に係合していない場合は、送達カテーテル１８４０を介して送達されるいずれの気体、液
体、および／または微粒子も１つ以上の真空ポート１８７０によって吸い込まれ得る。ス
カート１８３０および送達カテーテル１８４０が組織１８５０に効果的に係合した場合、
組織１８５０上またはその中の送達カテーテル１８４０の配置が組織１８５０またはその
中に直接送達をもたらすため、送達カテーテル１８４０によって組織１８５０に送達され
るいずれかの気体、液体、および／または微粒子のうちの全てではないにしてもほとんど
が、１つ以上の真空ポート１８７０によって吸引されない。
【００９３】
本明細書に記載される、組織に係合するためのシステムおよび／または装置の例示的な
実施形態を図１９に示す。図１９に示されるように、例示的な器具は、矢印の方向に動か
されて、係合カテーテル１８１０の遠位端にスカート１８３０を現し、スカートを拡張し
たフラスト円錐形構成に戻す、スリーブ１８００を示す。本実施形態に示されるように、
送達カテーテル１８４０が器具の近位端に導入され（破線矢印によって示される方向に）
、係合カテーテル１８４０の遠位端で送達カテーテル１８４０が送達管腔（図示せず）か
ら出ることができる。針１８９０を送達カテーテル１８４０の遠位端に存在させ、組織（
図示せず）の潜在的な穿刺を促進し、送達カテーテル１８４０の遠位端を組織に進入させ
てもよい。
【００９４】
さらに、また図１９の例示的な実施形態に示されるように、リード１９００が送達カテ
ーテル１８４０に（破線矢印によって示される方向に）導入されてもよく、これによって
リード１９００の遠位端が針１８９０のアパーチャを出て、任意選択的に組織および／ま
たは組織の管腔に進入することができる。本明細書に記載されるように、感知リードおよ
び／またはペーシングリードを含む、任意の数の好適な種類のリード１９００を、本明細
書に記載される送達カテーテルと併用することができる。また、真空源１９１０は、その
ような器具への真空源を提供し、吸引を用いてスカート１８３０を組織に係合させること
ができる。
【００９５】
図１９に示されるように、組織に係合するための器具の例示的な実施形態は、湾曲を有
する係合カテーテル１８１０を含む。そのような湾曲した係合カテーテル１８１０により
、そのような器具の使用者は、例えば、ある方向から体内または組織へ器具を挿入し、別
の方向からスカート１８３０、送達カテーテル１８４０、針１８９０、および／またはリ
ード１９００を用いて組織を係合することができる。例えば、使用者は、器具の一部分を
心臓の片側から導入し、器具が器具の導入の方向とは異なる方向から心臓に係合してもよ
い。
【００９６】
また、本開示の器具の例示的な実施形態を使用して、臓器の内部に係合することができ
ることが理解され得る。本明細書ですでに言及されたように、そのような器具を使用して
、組織の表面に係合することができる。しかし、そのような組織は、限定されないが、心
臓、肺、腸、胃、または任意の数の他の臓器もしくは組織を含む、任意の数の組織の外表
面であり得ることが理解され得る。また、例えば心臓を含むこれらの種類の臓器または組
織の一部は、本開示の器具によって係合され得る、１つ以上の内部組織表面を有すること
も理解され得る。例えば、そのような器具の使用者は、器具を使用して、心臓の片側をも
う一方から分割する心臓の中隔に係合することができる。そのような使用は気体、液体、
および／または微粒子の心臓の特定の側への送達を促進することができ、したがって標的
送達が有益な効果を提供することができ、これには心臓の左側の内壁をペーシングするた
めにリードを送達する能力が含まれるが、それに限定されない。
【００９７】
ここで図２０Ａ、２０Ｂ、および２０Ｃを参照すると、本開示に従う、組織に係合する
ための器具の一部分の実施形態が示される。図２０Ａに示されるように、組織に係合する
ための器具の一部分の例示的な実施形態は、係合カテーテル１８１０に摺動係合するスリ
ーブ１８００を含み、スリーブ１８００が示される矢印の方向に摺動されると、示される
ように、拡張した、任意選択的にフラスト円錐形構成を有するスカート１８３０が現れる
。送達カテーテル１８４０は、送達カテーテル１８４０の遠位端に針１８９０を示して送
達管腔（図示せず）から出ることができる。図２０Ａの実施形態に示されるように、針１
８９０のアパーチャから出るリード１９００が示される。
【００９８】
図２０Ｂおよび２０Ｃは、図２０Ａに示される、本開示に従う組織に係合するための器
具の一部分の実施形態の拡大図を示す。図２０Ｂおよび２０Ｃに示されるように、針１８
９０のアパーチャ１９２０が示され、図２０Ｃに示されるように、リード１９００は針１
８９０のアパーチャ１９２０から出ることができる。
【００９９】
ここで図５Ａ、５Ｂ、５Ｃ、および５Ｄを参照すると、本明細書に開示される係合カテ
ーテルの別の実施形態が示される。係合カテーテル７００は、近位端７１０、および遠位
端７２０、ならびに近位端７１０と遠位端７２０との間に延在する２つの管腔７３０、７
４０を有する細長いチューブである。管腔７３０、７４０は、特に図５Ｂおよび５Ｃに示
されるように、同心の内壁７５０および外壁７６０によって形成される。近位端７１０に
おいて、係合カテーテル７００は、管腔７３０に取り付けられる真空ポート７７０を含み
、真空源を真空ポート７７０に取り付けて管腔７３０内に吸引を形成することによって、
吸引チャネルを形成するようにする。カテーテル７００の遠位端７２０において、吸引ポ
ート７８０を管腔７３０に取り付け、吸引ポート７８０を心臓組織７７５（図５Ｄを参照
）と接触して配置し、組織を吸い込むことによって、真空源が取り付けられて係合される
際、吸引ポート７８０と組織７７５との間に真空密閉を形成できるようにする。真空密閉
により、吸引ポート７８０は組織７７５を把持、固定、および牽引することができる。例
えば、真空源を使用して吸引ポートを内部心房壁に取り付けることにより、吸引ポートは
心臓を囲む心膜嚢から心房壁を牽引することができ、心房壁と心膜嚢との間の心膜腔を拡
張する。
【０１００】
図５Ｃに示されるように、２つの内部管腔支持８１０、８２０は管腔７３０内に位置し
、内壁７５０および外壁７６０に取り付けられて、壁に対する支持を提供する。これらの
管腔支持は、管腔７３０を２つの吸引チャネルに分割する。内部管腔支持８１０、８２０
は、カテーテル７００の長さの大部分に沿ってカテーテル７００の遠位端７２０から延在
するが、内部管腔支持８１０、８２０は、カテーテル７００の全長に渡る場合とそうでな
い場合とがある。実際に、図５Ａ、５Ｂ、および５Ｃに示されるように、内部管腔支持８
１０、８２０は、近位端７１０まで延在せず、外部真空源からの吸引がカテーテル７００
の周囲に比較的均一に分散されることを保証する。図５Ｃに示される実施形態は、２つの
内部管腔支持を含むが、他の実施形態は、１つのみの内部支持を有するか、または３つ以
上のそのような支持を有し得る。
【０１０１】
図５Ｄは、そこに取り付けるために心臓組織７７５に接近する、係合カテーテル７００
を示す。本手順を行う医師にとって、いつ吸引ポートが心房壁または心耳の組織を係合し
たかを知ることは、重要である。例えば、図５Ｄを参照すると、吸引ポート７８０は、密
閉が形成されるように組織７７５を完全に係合していないことが明らかである。しかし、
吸引ポート７８０は通常、手順中に見られないため、医師は、吸い込まれた血液の量を監
視する、圧力センサ／調整器を用いて吸引圧力を監視する、またはそれら両方によって、
心房組織と吸引ポートとの間に適切な真空密閉が形成されたことを判断することができる
。例えば、係合カテーテル７００が心房壁組織（例えば、組織７７５）に接近して適所に
近づくと、管腔７３０を通じて吸引を行うことができる。圧力センサ／調整器を用いて、
所定レベルの吸引（例えば、１０ｍｍＨｇ）を課し、測定することができる。カテーテル
７００が壁を係合しない限り、一部血液がカテーテルに吸い込まれ、吸引圧力は同一であ
る。しかし、カテーテル７００が（図５Ｄにおいて組織７７５として示される）心臓の壁
に係合または取り付けられる場合、最小量の血液が吸い込まれ、吸引圧力は徐々に増加し
始める。そのような各兆候は、係合の指標として（アラームまたはその他の手段を通じて
）医師に警告することができる。次に圧力調整器は、吸引圧力を規定値に維持し、組織の
過剰な吸引を防ぐことができる。
【０１０２】
係合カテーテル、例えば、係合カテーテル７００は、心房壁または心室壁を含む心臓の
壁の内部組織に流体またはその他の物質を送達するように構成することができる。例えば
、図５Ａおよび５Ｃに示される管腔７４０は、遠位端７２０に注入チャネル７９０を含む
。注入チャネル７９０は、管腔７４０を通って流れる物質を標的組織に分配する。図５Ｄ
に示されるように、注入チャネル７９０は、管腔７４０の遠位端である。しかし、他の実
施形態において、注入チャネルは、リング型（図２Ｃを参照）であるか、または他の幾つ
かの好適な構成を有し得る。
【０１０３】
係合カテーテルを用いて局所的に投与できる物質は、遺伝子または細胞療法用の製剤、
薬物、および心臓における使用に安全な接着剤を含む。管腔７４０の近位端は、外部流体
源に取り付けることができる流体ポート８００を有し、送達される流体を標的組織に供給
する。実際に、標的組織から針を引き抜いた後、本明細書で論じられるように、係合カテ
ーテルによって接着剤を標的組織に投与し、標的組織から針を引き抜くことによってでき
た刺創を密閉することができる。
【０１０４】
ここで図６Ａ、６Ｂ、および６Ｃを参照すると、近位端８６０、遠位端８７０、および
カテーテルの長さに沿って管腔８８５を有する細長い中空チューブ８８０を含む送達カテ
ーテル８５０が示される。中空針８９０は遠位端８７０から延在し、管腔８８５と連通す
る。図６Ａ、６Ｂ、および６Ｃの実施形態において、針８９０は遠位端８７０に取り付け
られるが、他の実施形態において、針をカテーテルの遠位端（図１Ａを参照）に着脱可能
に取り付けるか、または他の方法で配置することができる。図６Ａ、６Ｂ、および６Ｃに
示される実施形態において、針が取り付けられる一部の他の実施形態の場合と同様に、中
空チューブ８８０と針８９０との間の接合（すなわち、取り付け部位）は、針８９０の周
囲の周方向に安全ノッチ９１０を形成し、針８９０の過剰な穿孔を防ぐ。従って、医師は
、針８９０を心房壁に挿入して心膜腔にアクセスする際、通常の条件下において、安全ノ
ッチ９１０における中空チューブ８８０の直径が（針８９０の直径と比べて）大きく、さ
らなる針の挿入を妨げるため、心膜嚢を針８９０で無意識に穿孔することはない。図６Ａ
、６Ｂ、および６Ｃに示される実施形態において、安全ノッチ９１０は、中空チューブ８
８０と針８９０との接合によって形成されるが、他の実施形態は、異なって構成される安
全ノッチを有し得る。例えば、安全ノッチは、バンド、リング、または針の先端から好適
な距離を置いて針に取り付けられる類似装置を含み得る。安全ノッチ９１０と同様に、他
の安全ノッチの実施形態は、針のプロファイルよりも大きいプロファイルを呈することに
よって、針がノッチ本体を越えて挿入されるのを防ぎ、ノッチが針の進入によって生じた
組織の穴に容易に進入しないようにする。
【０１０５】
本手順を行う医師にとって、いつ針が心房組織を穿刺したかを知ることは有用である。
これは、幾つかの方法で行うことができる。例えば、送達カテーテルを圧力変換器に接続
し、針の先端における圧力を測定することができる。心膜腔における圧力は心房内よりも
低く、拍動もはるかに少ないため、医師は、針が心房組織を通過して心膜腔に入ったこと
を即座に認識することができる。
【０１０６】
代替として、図６Ｂに示されるように、カテーテルアセンブリの一部として、針８９０
をひずみゲージ９１５に接続してもよい。針８９０が組織に接触する際（図示せず）、針
８９０は変形する。変形はひずみゲージ９１５に伝達され、電気信号が（古典的なホイー
トストンブリッジを通じて）変形を反映することにより、医師に警告する。そのように壁
の穿刺を確認することによって、過剰な穿刺を防ぎ、手順の、さらなる制御を提供するこ
とができる。
【０１０７】
一部の実施形態において、送達カテーテル、例えば、図６Ａ、６Ｂ、および６Ｃに示さ
れるカテーテル８５０を係合カテーテル、例えば、図５Ａ、５Ｂ、５Ｃ、および５Ｄに示
されるカテーテル７００と併用して、心臓壁と心膜嚢との間の心膜腔にアクセスする。例
えば、係合カテーテル７００を血管系に挿入し、係合カテーテルの遠位端が心房内に入る
ように進めることができる。本明細書に開示される吸引ポートを使用して、係合カテーテ
ルを心房の壁の内部上の標的組織に取り付けることができる。送達カテーテルは、係合カ
テーテルの内部管腔、例えば、図５Ｂおよび５Ｃに示される管腔７４０を通じて挿入され
る際、標準的なガイドワイヤを送達カテーテルの管腔を通じて挿入することができる。ガ
イドワイヤを使用することにより、送達カテーテル８５０をより効果的にナビゲートし、
針８９０が係合カテーテル７００の内壁７５０を損傷しないようにすることができる。ガ
イドワイヤが突出している送達カテーテルの先端が心房に到達した際、ワイヤを引き戻し
、針を前方に押して標的組織を穿孔する。次に、穿孔を通じて心膜腔へガイドワイヤを進
め、心房壁を通じた心膜腔へのアクセスを提供する。
【０１０８】
再び図６Ａ、６Ｂ、および６Ｃを参照すると、針８９０を心房壁または心耳を通じて挿
入した後に、送達カテーテル８５０の管腔８８５を使用して流体を心膜腔に送達すること
ができる。壁または心耳の穿刺後に、針管腔９００を通じて心膜腔にガイドワイヤ（図示
せず）を挿入し、心房壁または心耳を通じたアクセスを維持することができる。次に、多
くの方法で心膜腔に流体を導入することができる。例えば、心房壁または心耳を針で穿刺
した後、一般に針を引き抜く。図６Ａおよび６Ｂに示される実施形態のように、針が送達
カテーテルに永久に取り付けられる場合は、次に送達カテーテル８５０を引き抜き、別の
（針が取り付けられていない）送達カテーテルをガイドワイヤで心膜腔に導入する。次に
、第２送達カテーテルの管腔を通じて心膜腔に流体を導入することができる。
【０１０９】
しかし、一部の実施形態において、単一の送達カテーテルのみが使用される。そのよう
な実施形態において、針は送達カテーテルに取り付けられないが、代わりに針ワイヤ（図
１Ａを参照）であってもよい。そのような実施形態において、送達カテーテルの管腔を通
じて針を引き抜き、送達カテーテルをガイドワイヤで心膜腔に挿入することができる。次
に、送達カテーテルの管腔を通じて心膜腔に流体を導入する。
【０１１０】
医師は、本明細書に開示される種々の実施形態を使用して、例えば、（１）遺伝子、細
胞、薬物等を送達する、（２）心外膜刺激のためのカテーテルアクセスを提供する、（３
）急激に（例えば、心臓タンポナーデの場合）または慢性的に（例えば、慢性腎疾患、癌
等により生じた浸出を緩和するために）流体を排出する、（４）経中隔的穿刺を行い、電
気生理学的治療、生検等のために左心耳を通じてカテーテルを送達する、（５）右心耳を
通じて大動脈基部に磁気の糊またはリングを送達し、経皮大動脈弁を所定の位置に保持す
る、（６）例えば、肺静脈、または心房性および心室性不整脈の心臓の右心房および心外
膜表面に組織アブレーションのためのカテーテルを送達する、（７）（本明細書で論じら
れるように）心外膜、右心房、および左右心室ペーシングリードを送達および配置する、
（８）経皮的アプローチを通じて左心耳を閉塞する、および（９）内視カメラまたは内視
鏡を用いて心膜腔を可視化し、治療的送達、診断、リード配置、マッピング等のために心
臓の心外膜表面をナビゲートすることができる。ここに明記されていないその他の多くの
適用も可能であり、本開示の範囲内である。
【０１１１】
ここで図７を参照すると、送達カテーテル１０００が示される。送達カテーテル１００
０は、チューブ１０１０の近位端（図示せず）からチューブ１０１０の遠位端１０２５へ
と延在する壁１０２０を有する細長いチューブ１０１０を含む。チューブ１０１０は２つ
の管腔を含むが、送達カテーテルの他の実施形態は、送達カテーテルの使用目的により、
２つ未満またはそれを超える管腔を有してもよい。また、チューブ１０１０は、操縦ワイ
ヤシステム１０４０の一部分が中に位置する操縦チャネル１０３０も含む。操縦チャネル
１０３０はチューブ１０１０の遠位端１０２５において開孔１０４４を形成し、ガイドワ
イヤ１０５０上で適合する大きさである。
【０１１２】
図８は、操縦チャネル１０３０内の操縦ワイヤシステム１０４０をより詳しく示す（残
りの送達カテーテルから切り離されて示される）。操縦ワイヤシステム１０４０は、部分
的に操縦チャネル１０３０内に位置し、２本の操縦ワイヤ１０６０および１０７０、なら
びに制御装置１０８０を含み、制御装置１０８０は、図８に示される実施形態において、
第１ハンドル１０９０および第２ハンドル１０９４を含む。第１ハンドル１０９０は操縦
ワイヤ１０６０の近位端１０６４に取り付けられ、第２ハンドル１０９４は操縦ワイヤ１
０７０の近位端１０７４に取り付けられる。操縦ワイヤ１０６０の遠位端１０６６は、取
り付け点１１００で、操縦チャネル１０３０内の送達カテーテルのチューブの壁に取り付
けられ、操縦ワイヤ１０７０の遠位端１０７６は、取り付け点１１１０で、操縦チャネル
１０３０内の送達カテーテルのチューブの壁に取り付けられる。図７に示されるように、
取り付け点１１００および取り付け点１１１０は、送達カテーテル１０００の遠位先端１
１２０の近傍の、操縦チャネル１０３０の対向側面に位置する。
【０１１３】
図８の実施形態において、操縦ワイヤ１０６０および１０７０は操縦チャネル１０３０
を通る１組として通されている。しかし、他の実施形態の操縦ワイヤシステムは、操縦チ
ャネル内で個別に小さな管腔に通される操縦ワイヤを含んでもよい。例えば、図１１は、
壁１２６６、操縦チャネル１２９０、第１管腔１２７０、および第２管腔１２８０を含む
細長いチューブ１２６４を有する送達カテーテル１２６０の断面図を示す。送達カテーテ
ル１２６０は、操縦ワイヤ管腔１２９３内に操縦ワイヤ１２９２、操縦ワイヤ管腔１２９
５内に操縦ワイヤ１２９４、および操縦ワイヤ管腔１２９７内に操縦ワイヤ１２９６をさ
らに含む。操縦ワイヤ管腔１２９３、１２９５、および１２９７のそれぞれは操縦チャネ
ル１２９０内に位置し、壁１２６６から形成される。操縦ワイヤ１２９２、１２９４、お
よび１２９６のそれぞれは、操縦チャネル１２９０内の壁１２６６に取り付けられる。説
明されるように、各操縦ワイヤの壁への取り付け点は、送達カテーテルの遠位先端近傍に
位置してもよく、あるいは送達カテーテルの中央により近接して位置してもよい。
【０１１４】
ここで図７および８を参照すると、操縦ワイヤシステム１０４０を使用して、送達カテ
ーテル１０００の遠位先端１１２０を制御することができる。例えば、第１ハンドル１０
９０が引かれると、操縦ワイヤ１０６０が遠位先端１１２０を引き、これが送達カテーテ
ル１０００を屈曲させ、先端を第１方向へ屈折させる。同様に、第２ハンドル１０９４が
引かれると、操縦ワイヤ１０７０が反対方向に遠位先端１１２０を引き、これが送達カテ
ーテル１０００を屈曲させ、先端を反対方向へ屈折させる。したがって、操縦ワイヤシス
テム１０４０を使用して、送達カテーテル１０００を体を通って方向付ける（すなわち、
操縦する）ことができる。
【０１１５】
操縦ワイヤシステム１０４０は２本の操縦ワイヤのみを有するが、操縦ワイヤシステム
の他の実施形態は２つを超える操縦ワイヤを有してもよい。例えば、操縦ワイヤシステム
の一部の実施形態は３本の操縦ワイヤを有してもよく（図１１を参照）、そのそれぞれが
異なる取り付け点で操縦チャネルに取り付けられる。操縦ワイヤシステムの他の実施形態
は、４本の操縦ワイヤを有してもよい。一般に、操縦ワイヤが多いほど、それぞれのさら
なる操縦ワイヤにより、ユーザは送達カテーテルの先端をさらなる方向に屈折させること
ができるため、医師は送達カテーテルの方向付けをより制御できる。例えば、４本の操縦
ワイヤを使用して、送達カテーテルを４つの異なる方向（例えば、上、下、右、左）に方
向付けることができる。
【０１１６】
操縦ワイヤシステムが２本を越える操縦ワイヤを含む場合、送達カテーテルは異なる点
で同じ方向に屈折することができる。例えば、３本の操縦ワイヤを備える送達カテーテル
は、ある方向に屈折するための２本の操縦ワイヤと、逆に屈折（すなわち、反対方向への
屈折）するための第３操縦ワイヤを含み得る。そのような実施形態において、屈折のため
の２本の操縦ワイヤが、送達カテーテルの長さに沿って異なる位置に取り付けられる。こ
こで図９Ａ〜９Ｃを参照すると、異なる屈折状態の操縦チャネル１３６０内の操縦ワイヤ
システム１３５０が示される（残りの送達カテーテルから切り離されて示される）。操縦
ワイヤシステム１３５０は、部分的に操縦チャネル１３６０内に位置し、３本の操縦ワイ
ヤ１３７０、１３８０、および１３９０、ならびに制御装置１４００を含み、制御装置１
４００は、図９Ａ〜９Ｃで示される実施形態ではハンドル１４１０を含む。ハンドル１４
１０は、操縦ワイヤ１３７０の近位端１３７４、操縦ワイヤ１３８０の近位端１３８４、
および操縦ワイヤ１３９０の近位端１３９４に取り付けられる。操縦ワイヤ１３７０の遠
位端１３７６は、取り付け点１３７８で、操縦チャネル１３６０内の送達カテーテルのチ
ューブの壁に取り付けられ、これは送達カテーテルの遠位先端近傍である（図示せず）。
操縦ワイヤ１３８０の遠位端１３８６は、取り付け点１３８８で、操縦チャネル１３６０
内の送達カテーテルのチューブの壁に取り付けられ、これは送達カテーテルの遠位先端近
傍である（図示せず）。取り付け点１３７８および取り付け点１３８８は、操縦チャネル
１３６０の対向側面に位置し、操縦ワイヤ１３７０および１３８０が、引き締められた際
（以下で説明されるように）、送達カテーテルを反対方向に屈折させる傾向にあるように
する。操縦ワイヤ１３９０の遠位端１３９６は、取り付け点１３９８で、操縦チャネル１
３６０内の送達カテーテルのチューブの壁に取り付けられ、これは、送達カテーテル上の
、取り付け点１３７８および１３８８よりも送達カテーテルの近位端に近接した点に位置
する。取り付け点１３９８は、操縦チャネル１３６０の取り付け点１３８８と同じ側面に
位置し、操縦ワイヤ１３８０および１３９０が、引き締められた際（以下で説明されるよ
うに）、送達カテーテルを同じ方向に屈折させる傾向にあるようにする。しかし、取り付
け点１３９８は取り付け点１３８８よりも送達カテーテルの近位端に近接するため、操縦
ワイヤ１３９０の引き締めは、操縦ワイヤ１３８０の引き締めが行うよりも送達カテーテ
ルの近位端に近接する点で送達カテーテルを屈折させる傾向にある。したがって、図９Ａ
に示されるように、操縦ワイヤ１３９０の引き締めは、送達カテーテルをほぼ点１４１０
で屈折させる。操縦ワイヤ１３８０の同時の引き締めは、図９Ｂに示されるように、送達
カテーテルをほぼ点１４２０でさらに屈折させる。したがって、操縦ワイヤ１３７０の引
き締めは逆の屈折を生じ、送達カテーテルをその原位置に戻す（図９Ｃを参照）。
【０１１７】
再び図７を参照すると、細長いチューブ１０１０は管腔１１３０および管腔１１４０を
さらに含む。管腔１１３０は、チューブ１０１０のほぼ近位端（図示せず）からチューブ
１０１０の遠位端１０２５またはその近傍に延在する。管腔１１３０は、チューブ１０１
０の遠位端１０２５またはその近傍にチューブ１０１０に対する屈曲１１３４と、チュー
ブ１０１０の遠位端１０２５またはその近傍にチューブ１０１０の壁１０２０を通る出口
１１３６とを有する。同様に、管腔１１４０は、チューブ１０１０の遠位端１０２５また
はその近傍にチューブ１０１０に対する屈曲１１４４と、チューブ１０１０の遠位端１０
２５またはその近傍にチューブ１０１０の壁１０２０を通る出口１１４６とを有する。図
７に示される実施形態において、管腔１１３０は、レーザードップラー先端部として構成
され、管腔１１４０は、引き込み式の感知リード１１５０、および該リードの遠位端に先
端を有するペーシングリード１１６０を受容する大きさである。光ファイバーレーザード
ップラー先端部は、（先端部により発される光の波長の変化を測定することにより）血流
を検出および測定し、これが医師によるリード配置中の血管の特定―そして回避―を助け
る。感知リード１１５０は、心臓組織内の電気信号を検出するように設計され、医師が瘢
痕組織等の電気的に無反応である組織にペーシングリードを配置することを回避できるよ
うにする。ペーシングリード１１６０は心臓組織へ配置するためにねじ式のリードであり
、電極であるその先端は、実質的にねじ状の形状を有する。ペーシングリード１１６０は
、心臓ペーシングのためにＣＲＴ装置（図示せず）に動作可能に取り付けることができる
。心臓ペーシング用のリード１１６０が使用されているが、感知リードを含む任意の好適
な種類のリードを、本明細書に記載される送達カテーテルと併用することができる。
【０１１８】
管腔１１３０の屈曲１１３４および管腔１１４０の屈曲１１４４のそれぞれは、約９０
度の角度を形成し、これによりカテーテルが心膜腔内で操作される際に、それぞれの出口
１１３６および１１４６が心臓の外表面に面するようになる。しかし、他の実施形態は、
管腔が心膜腔から心臓の外表面への適切なアクセスを提供する限り、９０度未満またはそ
れ以上の他の角度を形成する屈曲を有してもよい。そのような角度は、例えば約２５度〜
約１５５度の範囲であってもよい。リードおよびドップラー先端部の送達に加えて、管腔
１１３０および管腔１１４０は、例えば生検の採取、遺伝子細胞治療剤もしくは薬理学的
薬剤の送達、心室の補強のための生物接着剤の送達、急性心筋梗塞および境界部位の心室
心外膜の吸引の実施、心膜液貯留あるいは心タンポナーデの治療における流体の除去、ま
たは心房細動の治療における心臓組織のアブレーションを可能にするように構成されても
よい。
【０１１９】
例えば、管腔１１３０を使用して、遺伝子細胞、幹細胞、医用材料、成長因子（サイト
キナーゼ、線維芽細胞成長因子、または血管内皮成長因子等）および／もしくは生分解性
合成高分子、ＲＧＤリポソーム生物接着剤、または治療もしくは診断用の任意の他の好適
な薬物もしくは物質の心筋内注入用のカテーテル針を送達することができる。例えば、好
適な生分解性合成高分子には、ポリ乳酸、ポリグリコリド、ポリカプロラクトン、ポリ酸
無水物、ポリアミド、およびポリウレタンが含まれ得る。一部の実施形態において、該物
質は、メタロプロテイナーゼ（例えば、メタロプロテイナーゼ１）等の組織阻害剤を含む
。
【０１２０】
一部の物質（生体高分子およびＲＧＤリポソーム生物接着剤等）の注入は、慢性心不全
の治療に有用であり、左心室壁を補強および強化する。したがって、本明細書に開示され
る実施形態を使用して、心膜腔から心臓組織へのそのような物質の注入は、経胸腔的アプ
ローチを介した送達に関連する問題およびリスクを緩和する。例えば、本明細書に開示さ
れるように、送達カテーテルの遠位端が心膜腔まで進められると、針が送達カテーテルの
管腔を通って心臓組織の中に延在され、針を通って心臓組織に物質が注入される。
【０１２１】
心膜腔から心臓組織への物質の送達は、レーザードップラー先端部を使用して促進され
得る。例えば、心室壁の菲薄化を治療する際、図７に示される実施形態の管腔１１４０に
位置するレーザードップラー先端部を使用して、手順中（リアルタイムで）左心室壁の厚
さを測定し、注入のための適切な標的領域を決定することができる。
【０１２２】
再び図８を参照すると、制御装置１０８０は第１ハンドル１０９０および第２ハンドル
１０９４を含むが、制御装置の他の実施形態は、異なる構成を含んでもよい。例えば、ハ
ンドルを使用する代わりに、制御装置が操縦ワイヤシステムの操縦ワイヤを制御するため
の任意の好適なトルクシステムを含んでもよい。ここで図１０を参照すると、操縦ワイヤ
１１８０、操縦ワイヤ１１９０、および制御装置１２００を有する操縦ワイヤシステム１
１７０の一部分が示される。制御装置１２００は、第１の回転可能なスプール１２２０を
有するトルクシステム１２１０を含み、これは、回転時に操縦ワイヤ１１８０を回収およ
び分配することができる。例えば、第１の回転可能なスプール１２２０がある方向に回転
すると、操縦ワイヤ１１８０がスプール１２２０上に回収されることにより、操縦ワイヤ
１１８０を引き締める。スプール１２２０が反対方向に回転すると、操縦ワイヤ１１８０
がスプール１２２０から分配されることにより、操縦ワイヤ１１８０が弛緩する。また、
トルクシステム１２１０は第２の回転可能なスプール１２３０も有し、これは上述のとお
り回転時に操縦ワイヤ１１９０を回収および分配することができる。
【０１２３】
トルクシステム１２１０は、第１の回転可能なダイヤル１２４０および第２の回転可能
なダイヤル１２５０をさらに含む。第１の回転可能なダイヤル１２４０は第１の回転可能
なスプール１２２０に取り付けられ、第１の回転可能なダイヤル１２４０の回転が、第１
の回転可能なスプール１２２０を回転させるようにする。同様に、第２の回転可能なダイ
ヤル１２５０は第２の回転可能なスプール１２３０に取り付けられ、第２の回転可能なダ
イヤル１２５０の回転が、第２の回転可能なスプール１２３０を回転させるようにする。
カテーテルの操作を容易にするために、トルクシステム１２１０、具体的には第１および
第２の回転可能なダイヤル１２４０および１２５０は、任意選択的にチューブ１０１０の
近位端でカテーテルハンドル（図示せず）上に位置付けられてもよい。
【０１２４】
操縦ワイヤシステム１１７０を使用して、操縦ワイヤシステム１１４０と類似の様式で
、体を通って送達カテーテルを方向付けることができる。したがって、例えば、第１の回
転可能なダイヤル１２４０が第１方向（例えば時計回り）に回転されると、操縦ワイヤ１
１８０が引き締められ、送達カテーテルがある方向に屈折される。第１の回転可能なダイ
ヤル１２４０が他の方向（例えば反時計回り）に回転されると、操縦ワイヤ１１８０が弛
緩し、送達カテーテルはその原位置に伸展する。第２の回転可能なダイヤル１２５０が一
方向（例えば反時計回り）に回転されると、操縦ワイヤ１１９０が引き締められ、送達カ
テーテルは第１屈折と反対の方向に屈折する。第２の回転可能なダイヤル１２５０が他の
方向（例えば時計回り）に回転されると、操縦ワイヤ１１９０が弛緩し、送達カテーテル
はその原位置に伸展する。
【０１２５】
操縦ワイヤシステムの一部の他の実施形態は、トルクシステムにより、医師が種々の操
縦ワイヤを確実に引き締めおよび弛緩できる限り、他の種類のトルクシステムを含み得る
。各操縦ワイヤの引き締めおよび弛緩の程度は、トルクシステムにより制御可能であるべ
きである。
【０１２６】
再び図１１を参照すると、送達カテーテル１２６０の断面図が示される。送達カテーテ
ル１２６０は、チューブ１２６５、第１管腔１２７０、第２管腔１２８０、および操縦チ
ャネル１２９０を含む。操縦ワイヤ１２９２、１２９４、および１２９６が操縦チャネル
１２９０内に示される。第１管腔１２７０は出口１２７５を有し、これを用いて、マイク
ロカメラシステム（図示せず）またはレーザードップラー先端部１２７８を送達すること
ができる。第２管腔１２８０は、ペーシングリード１３００、ならびに感知リード（図示
せず）を送達するための大きさである。
【０１２７】
心膜液浸出の除去による心タンポナーデの治療は、以下に記載されるように、本開示の
器具を使用して行うことができる。典型的な手順には体内への器具の一部分の経皮的血管
内挿入を伴い、これは局所または全身麻酔下で行うことができる。次に、本明細書に記載
されるアプローチまたは使用者に既知である他の方法を利用して、器具の一部分を経皮血
管的に心膜嚢に進入させることができる。そのような器具を使用して体内の他の間隙にア
クセスし、本明細書に記載されるように流体を除去および／または気体、液体、および／
または微粒子を送達することができ、そのような器具は心臓へのアクセスおよび心膜液浸
出の除去に限定されないことが理解され得る。
【０１２８】
そのような器具の一部分の例示的な実施形態が、図２１Ａおよび２１Ｂに示される。図
２１Ａに示されるように、有孔ドレナージカテーテル２１００が提供される。有孔ドレナ
ージカテーテル２１００は、少なくとも１つの吸引／注入アパーチャ２１１０を画定する
チューブを含み、図２１Ａの実施形態に示されるように、有孔ドレナージカテーテル２１
００は、複数の吸引／注入アパーチャ２１１０を画定する。吸引／注入アパーチャ２１１
０は、有孔送達カテーテル２１００内に画定される内部管腔に動作可能に接続される。有
孔ドレナージカテーテル２１００の一部分は、図２１Ａおよび２１Ｂに示されるように、
本明細書に記載される組織に係合するためのシステムの１つ以上の部分に連結可能である
ことが理解され得る。したがって、組織に係合するためのシステムの１つ以上の部分を使
用して、本明細書に記載されるように流体を除去するためのシステムを画定することがで
きる。
【０１２９】
有孔送達カテーテル２１００内の内部管腔は、複数の内部チャネルを画定できることが
理解され得る。例えば、有孔送達カテーテル２１００は２つのチャネルを画定することが
でき、１つのチャネルは、１つ以上の吸引／注入アパーチャ２１１０に動作可能に連結さ
れ、チャネルの一端に連結される真空源が吸引／注入アパーチャ２１１０を介して吸引を
提供するのを可能にし、１つのチャネルは１つ以上の他の吸引／注入チャネルに動作可能
に接続され、標的部位への気体、液体、および／または微粒子の注入を可能にする。
【０１３０】
以下でさらに詳述されるように、有孔ドレナージカテーテル２１００が体内の間隙、例
えば心膜嚢に進入すると、有孔ドレナージカテーテル２１００を用いて、１つ以上の吸引
／注入アパーチャ２１１０を通る吸引の使用により、流体を除去することができる。また
、有孔ドレナージカテーテル２１００を使用して、１つ以上の吸引／注入アパーチャ２１
１０を通って標的部位へ気体、液体、および／または微粒子を送達することもできる。
【０１３１】
有孔ドレナージカテーテル２１００の一部分の別の例示的な実施形態を図２１Ｂに示す
。図２１Ｂに示されるように、有孔ドレナージカテーテル２１００は、複数の吸引／注入
アパーチャ２１１０を備えるチューブを含む。しかし、例示的な本実施形態では、有孔ド
レナージカテーテル２１００は、有孔ドレナージカテーテル２１００の長さの一部分に延
在する多数の凹溝２１２０を含み、これによりその中の陥凹部分に吸引／注入アパーチャ
２１１０が提供される。凹溝２１２０は、少なくとも部分的に有孔ドレナージカテーテル
２１００の周囲の周りに位置付けられると、有孔ドレナージカテーテル２１００の長さの
一部分に延在する１つ以上の隆起２１３０を画定する。有孔ドレナージカテーテル２１０
０の該隆起２１３０は、組織（図示せず）またはその近傍に位置付けられると、組織が１
つ以上の吸引／注入アパーチャ２１１０と直接接触するのを防ぐのを補助する。例えば、
有孔ドレナージカテーテル２１００が本明細書に記載される様式で使用され、真空が有孔
ドレナージカテーテル２１００に連結されると、１つ以上の凹溝２１２０内に位置付けら
れる１つ以上の吸引／注入アパーチャ２１１０からの吸引により、有孔ドレナージカテー
テル２１００の領域に存在する流体の除去が可能になる。隆起２１３０は、１つ以上の吸
引／注入アパーチャ２１１０との組織の接着および／または接触を防ぐか、あるいは最小
限に抑えるのを補助する。
【０１３２】
有孔ドレナージカテーテル２１００を使用する手順は、例えば蛍光透視法および／また
はエコードップラー可視化手技を使用して、有孔ドレナージカテーテル２１００を心膜嚢
、その後心臓表面に挿入することにより行うことができる。有孔ドレナージカテーテル２
１００が心膜嚢に挿入されると、心膜嚢内に存在する心膜液浸出は、例えば、シリンジを
使用した弱吸引により除去することができる。一例では、６０ｃｃのシリンジを使用し、
手動で優しく吸引し、浸出液を除去してもよい。浸出液が除去されたら、患者の血行動態
パラメータを監視して浸出液の除去の有効性を確認することができる。例えば、蛍光透視
法またはエコードップラー可視化によって心膜嚢が空であることが確認されたら、急性心
膜液浸出のカテーテルは除去することができ、あるいは以下に記載されるように局所治療
に使用して、例えば抗生物質、化学療法、または別の薬物を導入してもよい。
【０１３３】
心膜嚢内に存在する有孔ドレナージカテーテル２１００の一部分の例示的な実施形態を
図２２に示す。図２２に示されるように、有孔ドレナージカテーテル２１００は、本明細
書に記載される手技および／または手順のうちの１つ以上を使用してまず心臓２２００に
挿入され、右心耳２２１０、臓側心膜２２１５を通って心膜嚢２２２０に配置される。心
膜嚢２２２０の外側部分は、壁側心膜２２３０によって画定される。次に、有孔ドレナー
ジカテーテル２１００を使用して、心膜液浸出２２４０（心膜嚢２２２０内の流体）を除
去することができる。真空源（図示せず）が流体を除去するためのシステムの一部分（部
分的に、有孔ドレナージカテーテル２１００、および本明細書に記載される組織に係合す
るためのシステムの１つ以上の他の構成要素を含む）の近位端に連結されると、有孔ドレ
ナージカテーテル２１００への真空の導入により、心膜液浸出２２４０（流体）を、心膜
嚢２２２０から吸引／注入アパーチャ２１１０の長さに沿って画定される１つ以上の吸引
／注入アパーチャ２１１０へ引き抜くことができる。
【０１３４】
有孔ドレナージカテーテル２１００は、心膜液浸出（または体内の間隙内に存在する他
の流体）の一部または全ての除去に使用され、流体が除去された間隙またはその近傍に気
体、液体、および／または微粒子を送達するために使用することもできる。例えば、心膜
液浸出を除去するための有孔ドレナージカテーテル２１００の使用により、感染症のリス
クが増す場合がある。したがって、有孔ドレナージカテーテル２１００は、水および／ま
たは任意の数の有益な溶液で心膜嚢（または体内に存在する他の間隙）をすすぐために使
用することができ、また、１つ以上の抗生物質を送達して、患者に効果的な全身的抗生物
質療法を提供するために使用することもできる。抗生物質（例えばゲンタマイシン）の心
膜内への点滴注入は有用であるが、典型的にはそれ自体では十分ではなく、したがってよ
り効果的な治療のために全身的な抗生物質治療と組み合わせることができる。
【０１３５】
本開示の装置、システム、および／または方法を使用して、タンポナーデを伴わない腫
瘍性の心膜液浸出を治療するためのさらなる方法を利用してもよい。例えば、全身的な抗
腫瘍薬治療を行って、腫瘍の進行を抑制および／または阻止するための薬物を導入しても
よい。緊急を要しない状態である（例えば心タンポナーデではない）場合、本開示のシス
テムおよび／または方法を使用して心膜穿刺術を行ってもよい。さらに、本開示により、
細胞分裂阻害剤／硬化剤の心膜内への点滴注入が可能になる。本明細書に開示される装置
、システム、および／または方法のうちの１つ以上を使用して、硬化剤、細胞傷害性薬物
、または免疫調節剤の心膜内への点滴注入により再発の阻止を達成できることが理解され
得るが、心膜内治療は腫瘍の種類に合わせて調整され得ることに留意されたい。慢性的な
自己反応性の心膜液浸出に関しては、クリスタロイドグルココルチコイドの心膜内への点
滴注入は、高用量の局所適用を可能にしつつ全身性副作用を回避することができる。
【０１３６】
ペーシングリードは、本明細書に開示される係合カテーテルおよび送達カテーテルを使
用して、心臓の外表面に配置することができる。例えば、係合カテーテルの細長いチュー
ブを血管の中に延在し、チューブの遠位端が心臓の壁の内部上の標的組織と接触するよう
にする。上記で説明されるように、標的組織は心房壁または心耳の内部に位置し得る。吸
引を開始し、標的組織の一部分を吸い込み、心臓を囲む心膜嚢から心臓壁を引き離すこと
により、心膜嚢と心臓壁との間の心膜腔を拡張する。次に、チューブの管腔を通って針を
挿入し、心臓へ進める。針を標的組織に挿入し、標的組織を穿孔する。針を通してガイド
ワイヤの遠位端を心膜腔に挿入し、心臓壁を通る進入点を固定する。そして、標的組織か
ら針を引き抜く。
【０１３７】
本明細書に記載される送達カテーテルは、係合カテーテルのチューブの管腔にガイドワ
イヤ上で挿入される。送達カテーテルは、１４Ｆｒ．の放射線不透過性操縦カテーテルで
あり得る。送達カテーテルの遠位端を、ガイドワイヤ上で標的組織を通って心膜腔に進め
る。心膜腔に入ると、本明細書に開示される操縦ワイヤシステムを使用して送達カテーテ
ルを方向付ける。さらに、マイクロカメラシステムを送達カテーテルの管腔を通って延在
し、心膜腔内の所望の位置への送達カテーテルの方向付けを補助してもよい。送達カテー
テルとの併用に好適なマイクロカメラシステムは、当技術分野において周知である。さら
に、送達カテーテルの管腔を通ってレーザードップラーシステムを延在し、送達カテーテ
ルの方向付けを補助してもよい。送達カテーテルを、送達カテーテルの管腔のうちの１つ
の出口が心臓の外表面（例えば心房または心室の外表面）に隣接するように位置付ける。
送達カテーテルの管腔を通ってペーシングリードを心臓の外表面に延在する。ペーシング
リードは、例えばリードを心臓組織にねじ込むことにより、心臓の外表面に取り付けても
よい。加えて、リードをさらに組織内にねじ込むことにより、心臓組織のより深部、例え
ば心内膜下組織にペーシングリードを配置してもよい。リードを適切な位置に配置した後
、心膜腔および体から送達カテーテルを引き抜く。ガイドワイヤを心膜腔および体から引
き抜き、係合カテーテルを体から引き抜く。
【０１３８】
開示される実施形態は、心内膜下ならびに心外膜のペーシングに使用することができる
。リードの配置が心外膜である場合、心内膜下壁の近傍に到達する長いねじ状の先端を有
するようにリードを構成することができる。リードの先端は、心内膜下領域へのペーシン
グを行うように、またそれを提供するように刺激型であるように作製することができる。
一般に、リードの長さは、心臓壁の厚さを通じて任意の部位で経壁的にペーシングするよ
うに選択することができる。当業者は、当該患者にとって心外膜、心内膜下、またはいず
れかの経壁的位置での筋肉の刺激が最適であるかを決定することができる。
【０１３９】
心臓組織にアクセスするための装置、システム、および方法の種々の実施形態は、本明
細書において極めて詳細に説明されているが、それらの実施形態は、本明細書に記載され
る開示の非限定例として提供されるにすぎない。本明細書に記載される実施形態の多くの
変型例および修正は、本開示に照らして、当業者には明らかとなるであろう。よって当業
者は、本開示の範囲から逸脱することなく、種々の変更および修正を行うことができるこ
と、また相当物をその要素に代替できることを理解するであろう。実際に、本開示は、本
開示の範囲を網羅する、または限定するものではない。本開示の範囲は、添付の請求項、
およびそれらの相当物により画定されるものとする。
【０１４０】
さらに、代表的な実施形態を説明する際に、本開示は、方法および／またはプロセスを
特定順序のステップとして表している場合がある。しかし、方法またはプロセスが本明細
書で説明される特定順序のステップに依存しない限り、方法またはプロセスは説明される
特定順序のステップに限定されてはならない。当業者に理解されるように、その他の順序
のステップが可能である場合がある。そのため、本明細書に開示される特定順序のステッ
プは、請求項を限定するものと見なされてはならない。さらに、方法および／またはプロ
セスを対象とする請求項は、記載される順序のステップの実行に限定されてはならず、当
業者であれば、配列を変更することができ、それでもなお本開示の精神および範囲内であ
ることが容易に理解できる。
【０１４１】
したがって、本開示は、および本説明ならびに添付の請求項は、本開示に基づいて当業
者に明らかとなるすべての修正および変更を含み、包含するものとする。
【図１Ａ】
2014087695.tif 000003
【図１Ｂ】
2014087695.tif 000004
【図２Ａ】
2014087695.tif 000005
【図２Ｂ】
2014087695.tif 000006
【図２Ｃ】
2014087695.tif 000007
【図３Ａ】
2014087695.tif 000008
【図３Ｂ】
2014087695.tif 000009
【図４Ａ−４Ｃ】
2014087695.tif 000010
【図４Ｄ】
2014087695.tif 000011
【図４Ｅ】
2014087695.tif 000012
【図４Ｆ】
2014087695.tif 000013
【図５Ａ−５Ｃ】
2014087695.tif 000014
【図５Ｄ】
2014087695.tif 000015
【図６Ａ−６Ｃ】
2014087695.tif 000016
【図７】
2014087695.tif 000017
【図８】
2014087695.tif 000018
【図９Ａ】
2014087695.tif 000019
【図９Ｂ】
2014087695.tif 000020
【図９Ｃ】
2014087695.tif 000021
【図１０】
2014087695.tif 000022
【図１１】
2014087695.tif 000023
【図１２Ａ】
2014087695.tif 000024
【図１２Ｂ】
2014087695.tif 000025
【図１２Ｃ】
2014087695.tif 000026
【図１３】
2014087695.tif 000027
【図１４】
2014087695.tif 000028
【図１５Ａ】
2014087695.tif 000029
【図１５Ｂ】
2014087695.tif 000030
【図１５Ｃ】
2014087695.tif 000031
【図１６Ａ】
2014087695.tif 000032
【図１６Ｂ】
2014087695.tif 000033
【図１６Ｃ】
2014087695.tif 000034
【図１７Ａ】
2014087695.tif 000035
【図１７Ｂ】
2014087695.tif 000036
【図１８Ａ】
2014087695.tif 000037
【図１８Ｂ】
2014087695.tif 000038
【図１９】
2014087695.tif 000039
【図２０Ａ】
2014087695.tif 000040
【図２０Ｂ】
2014087695.tif 000041
【図２０Ｃ】
2014087695.tif 000042
【図２１Ａ】
2014087695.tif 000043
【図２１Ｂ】
2014087695.tif 000044
【図２２】
2014087695.tif 000045
【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
組織に係合するために真空源と併用するシステムであって、
近位端と、遠位端と、前記近位端と前記遠位端との間に延在する第１管腔と、前記遠位端に動作可能に接続されるスカートと、を含む係合カテーテルであって、前記スカートは、前記係合カテーテルの外周と実質的に同様の周囲を有する近位端を含み、前記スカートは、前記係合カテーテルの前記外周よりも大きな周囲を有する遠位端をさらに含む係合カテーテルと、
前記係合カテーテル内に位置決めされる針と、
前記係合カテーテルの前記近位端に位置する真空ポートであって、前記係合カテーテルの前記第１管腔に動作可能に接続され、前記真空源との動作接続が可能である真空ポートと、を含み、
前記係合カテーテルの前記第１管腔は、前記係合カテーテルの前記遠位端またはその近傍に位置する吸引ポートを含み、前記吸引ポートは、前記スカートの前記遠位端を組織の表面に着脱可能に係合させるように構成され、真空源が前記真空ポートに動作可能に取り付けられた際、前記スカートが前記組織の前記表面との可逆的密閉を形成できるようにし、
前記システムは、診断デバイスおよび治療デバイスから選択される少なくとも１つの追加的なデバイスが少なくとも部分的に前記係合カテーテルの第１管腔内に位置付けられることが可能に使用するように構成され、
前記係合カテーテルは、前記可逆的密閉が形成されている間に心臓を囲む心膜から標的組織を引き離すことによって、前記標的組織と前記心膜との間の心膜腔を拡張できる、システム。
【請求項２】
近位端と、遠位端と、前記近位端と前記遠位端との間に延在する管腔と、を含むスリーブをさらに含み、前記スリーブは、前記係合カテーテルの周囲の周方向に位置付けられ、前記スリーブは、前記係合カテーテルに摺動係合する、請求項１に記載のシステム。
【請求項３】
前記針は、前記第１管腔に挿入され、前記吸引ポートが前記標的組織に取り付けられた際、前記標的組織を穿刺できるように位置付けられ、前記標的組織が穿刺された際、前記心膜腔へのアクセスが達成されるようにする、請求項１に記載のシステム。
【請求項４】
前記心膜腔に挿入するためのガイドワイヤをさらに含み、前記針は、前記中空チューブと連通する中空針を含み、前記ガイドワイヤは、前記中空針を通って前記心膜腔に挿入できる、請求項１に記載のシステム。
【請求項５】
前記係合カテーテルは、前記近位端と前記遠位端との間に延在する第２管腔をさらに含む、請求項１に記載のシステム。
【請求項６】
前記係合カテーテルは、前記係合カテーテルの長さに沿って湾曲を含む、請求項１に記載のシステム。
【請求項７】
組織に係合するために真空源と併用する係合カテーテルであって、
細長いチューブであって、近位端と、遠位端と、前記チューブの長さに沿った少なくとも１つの吸引チャネルと、を含む細長いチューブと、
前記チューブの前記遠位端に動作可能に接続されるスカートであって、前記チューブの外周と実質的に同様の周囲を有する近位端を含み、前記チューブの前記周囲よりも大きい周囲を有する遠位端をさらに含むスカートと、
前記チューブの前記近位端と連通する真空ポートであって、前記少なくとも１つの吸引チャネルに動作可能に接続され、前記真空源との動作接続が可能である真空ポートと、
前記チューブの遠位端において、前記少なくとも１つの吸引チャネルと連通する吸引ポートであって、前記吸引ポートは、前記スカートの前記近位端を組織の表面に着脱可能に係合させるように構成され、真空源が前記真空ポートに動作可能に取り付けられた際、前記スカートが前記組織の前記表面との可逆的密閉を形成できるようにする吸引ポートとを含み、
前記係合カテーテルは、前記可逆的密閉が形成されている間に心臓を囲む心膜から標的組織を引き離すことによって、前記標的組織と前記心膜との間の距離を局所的に増大させることができる、係合カテーテル。
【請求項８】
前記システムは、前記スカートが前記心臓の内壁に取り付けられた際、前記心臓の外表面と前記心膜との間の距離を局所的に増大させることができる、請求項１に記載のシステム、または、請求項７に記載の係合カテーテル。
【請求項９】
前記スカートは、変形可能な構成を含み、前記スカートの前記変形可能な構成は、拡張構成に拡張することができる、請求項１に記載のシステム、または、請求項７に記載の係合カテーテル。
【請求項１０】
前記スカートは、前記スカートがスリーブにより少なくとも部分的に囲まれた際、仕舞構成を有し、前記スカートは、前記スカートが前記スリーブにより囲まれない時には拡張構成を有する、請求項２に記載のシステム、または、請求項７に記載の係合カテーテル。
【請求項１１】
前記少なくとも１つの吸引チャネル内に位置付けられ、前記係合カテーテルに取り付けられる少なくとも１つの内部管腔支持をさらに含み、前記少なくとも１つの内部管腔支持は、前記チューブの前記長さの少なくとも大部分に沿って、前記チューブの前記遠位端から延在し、前記チューブの前記長さに沿って形成された注入チャネルをさらに含み、前記注入チャネルは、その遠位端において、流体を前記標的組織に投与するための少なくとも１つの開口を有し、前記注入チャネルの前記近位端において外部流体源に動作可能に取り付けることができ、前記外部流体源が前記注入チャネルに動作可能に取り付けられた際、前記外部流体源からの流体が前記注入チャネルを通じて前記標的組織に流れ得るようにする、請求項７に記載の係合カテーテル。
【請求項１２】
前記少なくとも１つの内部管腔支持は、２つの内部管腔支持を含み、前記少なくとも１つの吸引チャネルは、２つの吸引チャネルを含む、請求項１１に記載の係合カテーテル。
【外国語明細書】
2014087695000001.pdf